(57)【特許請求の範囲】
【請求項１】
ユーザ機器でプライマリセルの識別コードを選択する方法であって、
複数のセルから受信した共通パイロット信号の測定に基づいて該複数のセルの中から該プライマリセルを選択することと、
修正されたハダマルドコードに基づく複数の直交コードのうちの１つから該プライマリセルの該識別コードを選択することであって、それぞれの修正されたハダマルドコードが、第１ビットを有するハダマルドコードの少なくとも１つのビットが削除されたハダマルドコードを含む、ことと
を包含する、方法。
【請求項２】
前記プライマリセルの識別コードは、
【表２７】
0003853589.tif 000028
のうち１つから選択される、請求項１に記載の方法。
【請求項３】
前記プライマリセルの識別コードは、
【表２８】
0003853589.tif 000029
のうち１つから選択される、請求項１に記載の方法。
【請求項４】
前記プライマリセルの識別コードは、
【表２９】
0003853589.tif 000030
のうち１つから選択される、請求項１に記載の方法。
【請求項５】
前記それぞれのハダマルドコードの第１のビットは前記修正された複数のハダマルドコードを形成するために削除される、請求項１または２に記載の方法。
【請求項６】
前記それぞれのハダマルドコードは１６ビットを含み、パンクチャーリングによって削除が実行される、請求項５に記載の方法。
【請求項７】
前記第１のビットおよびそれぞれのハダマルドコードのうち少なくとも１つの他のビットが前記修正されたハダマルドコードを形成するために削除される、請求項１に記載に方法。
【請求項８】
前記少なくとも１つの他のビットが第２および第６のビットである、請求項７に記載の方法。
【請求項９】
それぞれのハダマルドコードは８ビットであり、パンクチャーリングによって削除が実行される、請求項８に記載の方法。
【請求項１０】
前記少なくとも１つの他のビットがそれぞれのハダマルドコードの第２のビットである、請求項７に記載の方法。
【請求項１１】
それぞれのハダマルドコードは８ビットであり、パンクチャーリングによって削除が実行される、請求項１０に記載の方法。
【請求項１２】
前記選択された識別コードは無線フレーム構造内で送信される、請求項１、２、または３に記載の方法。
【請求項１３】
前記無線フレーム構造は１５スロットを含み、前記対応する選択された識別コードはスロットの１ビットフィードバック識別子（ＦＢＩ）フィールドにおいて提供される、請求項１２に記載の方法。
【請求項１４】
前記選択された識別コードビットは無線フレーム構造内で送信され、該無線フレーム構造は１５スロットを含み、前記対応する選択された識別コードビットはスロットの２ビットフィードバック識別子（ＦＢＩ）フィールドにおいて提供される、請求項１または４に記載の方法。
【請求項１５】
前記ユーザ機器（ＵＥ）はアップリンクフィードバック識別子（ＦＢＩ）フィールドの一部を介して前記プライマリセルの前記選択された識別コードを周期的に送信する、請求項１〜１４のいずれかに記載の方法。
【請求項１６】
ユーザ機器でプライマリセルの識別コードを選択する方法であって、
複数のセルから受信した共通パイロット信号の測定に基づいて該複数のセルの中から該プライマリセルを選択することと、
ハダマルドコードに基づく複数の直交コードのうちの１つから該プライマリセルの該識別コードを選択することと、
少なくとも１つのビットがパンクチャーリングされた後、該識別コードを送信することと
を包含する、方法。
【請求項１７】
前記プライマリセルの識別コードは、
【表３３】
0003853589.tif 000031
のうち１つから選択され、ブラケットのバイナリビットがパンクチャーリングされた第１のビットである、請求項１６に記載の方法。
【請求項１８】
前記プライマリセルの識別コードは、
【表３４】
0003853589.tif 000032
のうち１つから選択され、ブラケットのバイナリビットがパンクチャーリングされた第１のビットおよびパンクチャーリングされた少なくとも１つの他のビットである、請求項１６に記載の方法。
【請求項１９】
前記プライマリセルの識別コードは、
【表３５】
0003853589.tif 000033
のうち１つから選択され、ブラケットのバイナリビットがパンクチャーリングされた第１のビットおよびパンクチャーリングされた少なくとも１つの他のビットである、請求項１６に記載の方法。
【請求項２０】
前記選択された識別コードビットは無線フレーム構造内で送信される、請求項１６または１７に記載の方法。
【請求項２１】
前記無線フレーム構造は１５スロットを含み、前記対応する選択された識別コードビットはスロットの１ビットフィードバック識別子（ＦＢＩ）フィールドにおいて提供される、請求項２０に記載の方法。
【請求項２２】
前記選択された識別コードビットは無線フレーム構造内で送信され、該無線フレーム構造は１５スロットを含み、前記対応する選択された識別コードビットはスロットの２ビットフィードバック識別子（ＦＢＩ）フィールドにおいて提供される、請求項１６に記載の方法。
【請求項２３】
前記ユーザ機器（ＵＥ）はアップリンクフィードバックインジケータ（ＦＢＩ）フィールドの一部を介して前記プライマリセルの前記選択された識別コードを周期的に送信する、請求項１〜２２のいずれかに記載の方法。
【請求項２４】
ユーザ機器でプライマリセルの識別コードを送信する方法であって、
複数のセルから受信した共通パイロット信号の測定に基づいて該複数のセルの中から該プライマリセルを選択することと、
該プライマリセルの識別コードを
【表３６】
0003853589.tif 000034
のうち１つから選択することと、
該選択された識別コードを送信することと
を包含する、方法。
【請求項２５】
ユーザ機器でプライマリセルの識別コードを送信する方法であって、
複数のセルから受信した共通パイロット信号の測定に基づいて該複数のセルの中から該プライマリセルを選択することと、
該プライマリセルの識別コードを
【表３７】
0003853589.tif 000035
のうち１つから選択することと、
ブラケットで示された少なくとも１つのビットがパンクチャーリングされた後、該選択された識別コードを送信することと
を包含する、方法。
【請求項２６】
ユーザ機器でプライマリセルの識別コードを送信する方法であって、
複数のセルから受信した共通パイロット信号の測定に基づいて該複数のセルの中から該プライマリセルを選択することと、
該プライマリセルの識別コードを
【表３８】
0003853589.tif 000036
のうち１つから選択することと、
該選択された識別コードを送信することと
を包含する、方法。
【請求項２７】
ユーザ機器でプライマリセルの識別コードを送信する方法であって、
複数のセルから受信した共通パイロット信号の測定に基づいて該複数のセルの中から該プライマリセルを選択することと、
該プライマリセルの識別コードを
【表３９】
0003853589.tif 000037
のうち１つから選択することと、
ブラケットで示された少なくとも１つのビットがパンクチャーリングされた後、該選択された識別コードを送信することと
を包含する、方法。
【請求項２８】
ユーザ機器でプライマリセルの識別コードを送信する方法であって、
複数のセルから受信した共通パイロット信号の測定に基づいて該複数のセルの中から該プライマリセルを選択することと、
該プライマリセルの識別コードを
【表４０】
0003853589.tif 000038
のうち１つから選択することと、
ブラケットで示された少なくとも１つのビットがパンクチャーリングされた後、該選択された識別コードを送信することと
を包含する、方法。
【請求項２９】
ユーザ機器でプライマリセルの識別コードを送信する方法であって、
複数のセルから受信した共通パイロット信号の測定に基づいて該複数のセルの中から該プライマリセルを選択することと、
該プライマリセルの識別コードを
【表４１】
0003853589.tif 000039
のうち１つから選択することと、
該選択された識別コードを送信することと
を包含する、方法。
【請求項３０】
前記選択された識別コードビットは無線フレーム構造内で送信され、該無線フレーム構造は１５スロットを含み、前記対応する選択された識別コードビットはスロットの１ビットフィードバック識別子（ＦＢＩ）フィールドにおいて提供される、請求項２４、２５、または２６に記載の方法。
【請求項３１】
前記選択された識別コードビットは無線フレーム構造内で送信され、該無線フレーム構造は１５スロットを含み、前記対応する選択された識別コードビットはスロットの２ビットフィードバック識別子（ＦＢＩ）フィールドにおいて提供される、請求項２７、２８、または２９に記載の方法。
【請求項３２】
ユーザ機器でプライマリセルの識別コードを選択する方法であって、
複数のセルの中から該プライマリセルを選択することであって、該複数のセルは、それぞれ、仮セル識別子を有し、該仮セル識別子は、ハダマルドコードを用いて生成され、該ハダマルドコードが第１ビットを有し、少なくとも１つのビットがパンクチャーリングさている、ことと、
該プライマリセルの仮セル識別子を送信すること
を包含する方法。
【請求項３３】
前記セルの仮識別子は、コードセットから選択され、該コードセットは、少なくとも１つのハダマルドコードを含む、請求項３２に記載の方法。
【請求項３４】
前記少なくとも１つのハダマルドコードの長さは、８または１６ビットである、請求項３２に記載の方法。
【請求項３５】
専用物理制御チャネル（ＤＰＣＣＨ）のフィードバックインディケータ（ＦＢＩ）を介して、前記プライマリセルの仮セル識別子が送信される、請求項３４に記載の方法。
【発明の詳細な説明】
【０００１】
【発明の属する技術分野】
本発明は、次世代移動通信に係り、特に、Ｗ−ＣＤＭＡ方式を用いる移動通信システムでアダマールコード（Ｈａｄａｍａｒｄ  ｃｏｄｅ）及び倍直交コード（Ｂｉ−ｏｒｔｈｏｇｏｎａｌ）を用いて最適のセル（＝基地局）識別コードを生成し、且つ伝送する方法に関する。
【０００２】
【従来の技術】
一般に、第３世代共同プロジェクト（３ＧＰＰ：Ｔｈｉｒｄ  Ｇｅｎｅｒａｔｉｏｎ  Ｐａｒｔｎｅｒｓｈｉｐ  Ｐｒｏｊｅｃｔ）の無線接続ネットワーク（ＲＡＮ：Ｒａｄｉｏ  Ａｃｃｅｓｓ  Ｎｅｔｗｏｒｋ）規格ではＳＳＤＴ（ＳＳＤＴ：Ｓｉｔｅ  Ｓｅｌｅｃｔｉｏｎ  Ｄｉｖｅｒｓｉｔｙ  Ｔｒａｎｓｍｉｓｓｉｏｎ）に対して記述している。
【０００３】
ＳＳＤＴとは、ソフトハンドオーバーモードにおける選択的な大規模のダイバーシティ技法として、かかるＳＳＤＴ動作を介してユーザ側（ＵＥ：Ｕｓｅｒ  Ｅｑｕｉｐｍｅｎｔ）は″プライマリー（Ｐｒｉｍａｒｙ）″という活性群にあるセルのうち一つを選択する。  この時、他の全てのセルは″ノンプライマリー（Ｎｏｎ−Ｐｒｉｍａｒｙ）″として分類される。ここで、ＳＳＤＴの第１目的は、下向きリンクにおける伝送を優先順位（以下、″プライマリー″と称する）セルで行うようにして、ソフトハンドオーバーモードで多重伝送によって発生する干渉を減らすことにある。
【０００４】
ＳＳＤＴの第２目的は、サイトの迅速な選択をネットワーク側（ＵＴＲＡＮ：ＵＭＴＳ  Ｔｅｒｒｅｓｔｒｉａｌ  Ｒａｄｉｏ  Ａｃｃｅｓｓ  Ｎｅｔｗｏｒｋ）の介入なしに行い、ソフトハンドオーバーの利点を保持するためである。
【０００５】
しかし、プライマリーセルを選択するためには伝送レベルが一定の水準以上となる各有効セルには仮識別子が割り当てられるし、ユーザ側はプライマリーセルに該当するセル識別子コードを接続されているセルに知らせる。
【０００６】
この時、ユーザ側は有効セルなどによって伝送された共通パイロットの受信レベルを周期的に測定し比較してプライマリーセルを選択し、最も大きいパイロット電力のセルをプライマリーセルに選択する。その後、ユーザ側によって後順位（以下、ノン−プライマリー（Ｎｏｎ−Ｐｒｉｍａｒｙ）と称する）に選択されたセルの伝送電力を断絶させる。
【０００７】
プライマリーセルのセル識別子コードは図１に示す上向きリンク専用物理制御チャネル（ＤＰＣＣＨ：Ｄｅｄｉｃａｔｅｄ  Ｐｈｙｓｉｃａｌ  Ｃｏｎｔｒｏｌ  Ｃｈａｎｎｅｌ）Ｄｅｄｉｃａｔｅｄ  Ｐｈｙｓｉｃａｌ  ＣｏｎｔｒｏｌＣｈａｎｎｅｌ）のような制御チャネルの多数のフィールドのうち、フィードバック識別子（ＦＢＩ：Ｆｅｅｄ  Ｂａｃｋ  Ｉｎｄｉｃａｔｏｒ）フィールドを介して活性群内のセルに伝えられる。次の図２から分かるように、フィードバック識別子（ＦＢＩ）は一つのスロットに１ビットまたは２ビットが伝送されるが、フィードバック識別子（ＦＢＩ）が１ビットである場合は、一つの無線フレームに１５ビットが伝送され、フィードバック識別子（ＦＢＩ）が２ビットである場合は、一つの無線フレームに３０ビットが伝送される。これは一つの無線フレームが１５個のタイムスロットより構成されるからである。また、ユーザ側はセル識別子コードを選択されたプライマリーセルへ伝送する時、各スロット当たりＦＢＩフィールドに１ビットを挿入して伝送するか、或いは２ビットを挿入して伝送するかを決定する。
【０００８】
参考に、図１のｋは上向きリンク専用物理チャネルにおける拡散因子（ＳＦ：Ｓｐｒｅａｄｉｎｇ  Ｆａｃｔｏｒ）に関係しており、２５６から４までの値を有する拡散因子（ＳＦ）は２５６／２Kとして表れる。また、上向き専用物理チャネル（ＤＰＣＨ）の専用物理データチャネルと専用物理制御チャネルにおける各スロット当たりフィールドのビット数は次の表１と表２の通りである。
【０００９】
【表１】
0003853589.tif 000002
【００１０】
【表２】
0003853589.tif 000003
前記表２においてＦＢＩフィールドに挿入される各スロット当たりビット数を示すＮＦＢＩはユーザ側（ＵＥ）とシステム側（ＵＴＲＡＮ）との接続点の間にフィードバックが要求される閉鎖ループモード伝送ダイバーシティまたはＳＳＤＴなどに用いられる。またＮFBIは図２に示すようにＳフィールドとＤフィールドとに分けられる。ここでＳフィールドはＳＳＤＴ信号処理に用いられ、Ｄフィールドはフィードバックモードの伝送ダイバーシティ信号処理に用いられる。
【００１１】
図２においてＳフィールド及びＤフィールドの長さは各々０，１，２となり、これも表２から分かる。もし、ＳＳＤＴによる電力制御とフィードバックモードの伝送ダイバーシティとを同時に用いる場合にはＳフィールドとＤフィールドに各々１ビットずつを用いる。
【００１２】
以下、ソフトハンドオーバーモードにおいて、多重伝送による干渉を減らすためのＳＳＤＴ動作についてより詳細に説明する。
【００１３】
前記ＳＳＤＴはソフトハンドオーバーモードで活性群のセルに基づいたネットワーク側（ＵＴＲＡＮ）によって初期動作され、その後、現在ソフトハンドオーバー周期の間に活性化されているＳＳＤＴオプションのネットワーク側（ＵＴＲＡＮ）はセルとユーザ側にこれを知らせる。この時、仮識別子が活性群の順次に基づき割り当てられ、活性化されている多数の有効セル及びユーザ側へ伝えられる。有効リストを受信した特定のセルは自分のセル識別子コードを決定できるそのリストで自分の登録位置が把握できると共に、有効リストを受信中であるユーザ側はそのリストでセルの登録順次による有効セルの各セル識別子コードを決めることができる。従って、ネットワーク側（ＵＴＲＡＮ）とユーザ側（ＵＥ）はセル識別子コードとセルとの間に同一な組合せを有する。この時、有効リストは毎度更新とされ、更新された有効リストは全ての有効セルとユーザ側へ伝えられる。
【００１４】
ＳＳＤＴとユーザ側（ＵＥ）認証の活性化の後、ユーザ側はプライマリーセルのセル識別子コードを送り始めるが、成功的なＳＳＤＴの活性化とユーザ側の認証許容によって有効セルはプライマリーセルの識別子情報を検出し始める。
【００１５】
次は、仮セル識別子の設定に対して説明する。
【００１６】
ＳＳＤＴの間、それぞれのセルには仮識別子が与えられ、この識別子はサイトセレクション信号として用いられる。
【００１７】
上位階層からＳＳＤＴモードへユーザ側とセル間の伝送が決定される場合、ユーザ側は有効セルのうち最も適した一つのセルをプライマリーセルとして決定して、フィードバック識別子フィールドを介してネットワーク側に知らせる。
【００１８】
また、ＳＳＤＴモードに動作する場合、一つのセルからだけ信号が伝送されるので、他の有効セルに対してはセル間の干渉が減るようになり、セル性能を増加させることができる。
【００１９】
仮セル識別子は特定のビット長さを有する二進ビットシーケンスからなり、これを次の表３と表４に示した。
【００２０】
表３には各スロット当たりフィードバック識別子（ＦＢＩ）が１ビット伝送される場合の仮セル識別子コードであり、表４は各スロット当たりフィードバック識別子が２ビット伝送される場合の仮識別子のコードである。
【００２１】
次の表３と表４から分かるように、仮セル識別子コードは″ロング（ｌｏｎｇ）″、″ミディアム（ｍｅｄｉｕｍ）″また″ショート（ｓｈｏｒｔ）″の三つの形態を有し、これらのそれぞれの形態に対して全て８種のコードがある。これらの仮セル識別子コードは必ず一つのフレーム内で伝送すべきであり、もし、仮セル識別子コードを一つのフレームの各フィードバック識別子フィールドに全部挿入して伝送できず、二つのフレームに挿入して伝送する場合には仮セル識別子コードの最終ビットがパンクチャリングされる。
【００２２】
【表３】
0003853589.tif 000004
前記表３でコード長さ１５ビットのロングセル識別子コードは最小ハミング距離（ｄmin）が最大７となり、コード長さ８ビットのミディアムセル識別子コードは最小ハミング距離が最大４となり、コード長さ８ビットの各ミディアムセル識別子コードで最終ビットをパンクチャリングしたコード長さ７ビットのセル識別子コードは最小ハミング距離（ｄmin）が最大３となり、コード長さが５ビットのショートセル識別子コードは最小ハミング（ｄmin）が最大２となる。
【００２３】
【表４】
0003853589.tif 000005
前記表４でコード長さ１６ビットのロングセル識別子コードは最小ハミング距離（ｄmin）が最大８となり、コード長さ１６ビットの各ロングセル識別子コードで最終ビット対をパンクチャリングしたコード長さ１４ビットのセル識別子コードは最小ハミング距離（ｄmin）が最大６となり、コード長さ８ビットのミディアムセル識別子コードは最小ハミング距離（ｄmin）が最大４となり、コード長さ８ビットの各ミディアムセル識別子コードで最終ビットをパンクチャリングしたコード長さ６ビットのセル識別子コードは最小ハミング距離（ｄmin）が最大２となり、コード長さ６ビットのショートセル識別子コードは最小ハミング距離（ｄmin）が最大２となる。
【００２４】
次の表５は前記表３と表４に示す仮セル識別子コードの特性によって各セル識別子コードの形態別に一つのフレーム当たりプライマリーセルを選択できるサイトの選択回数を示すものである。
【００２５】
【表５】
0003853589.tif 000006
前記表５を詳細に説明すると、まず、スロット当たりＦＢＩが１ビットである場合にロングセル識別子コードは、各スロットに１ビットずつ一つのフレーム当たり１５ビットが伝送されるので、一つのフレーム当たり１回のサイト選択が行われるし、スロット当たりＦＢＩが２ビットである場合にロングセル識別子コードは、各スロットに２ビットずつ一つのフレーム当たり３０ビットが伝送されるので一つのフレーム当たり２回のサイト選択が行われる。
【００２６】
また、スロット当たりＦＢＩが１ビットである場合ミディアムセル識別子コードは一つのフレーム当たり１５ビットが伝送されるので一つのフレーム当たり２回のサイト選択が行われ、スロット当たりＦＢＩが２ビットである場合ミディアムセル識別子コードは一つのフレーム当たり３０ビットが伝送されるので一つのフレーム当たり４回のサイト選択が行われる。
【００２７】
最後に、スロット当たりＦＢＩが１ビットである場合ショートセル識別子コードは、一つのフレーム当たり１５ビットが伝送されるので一つのフレーム当たり３回のサイト選択が行われ、スロット当たりＦＢＩが２ビットである場合ミディアムセル識別子コードは、一つのフレーム当たり３０ビットが伝送されるので一つのフレーム当たり５回のサイト選択が行われる。
【００２８】
次に、一つのスロットにフィードバック識別子が２ビット伝送される場合、コード長さ１４ビットの８つのロングセル識別子コードは最大の相互相関関数値（Ｃｒｏｓｓ−Ｃｏｒｒｅｌａｔｉｏｎ）が″２″、ハミング距離は最大６（ｄmin＝６）となり、コード長さ６ビットの８つのミディアムセル識別子コードとコード長さ６ビットの８つのショートセル識別子コードは最大の相互相関関数値がそれぞれ″２″、ハミング距離はそれぞれ最大２（ｄmin＝２）となる。ここで、コード長さ１４ビットのロングセル識別子コードは表２の最終列に該当する２ビットがパンクチャリングされ、コード長さ６ビットのミディアムセル識別子コードもまた最終列に当たる２ビットがパンクチャリングされる。
【００２９】
前記したように、ＳＳＤＴ及びユーザ側認証の活性化の後、ユーザ側が前記仮セル識別子コードのうち一つをプライマリーセルのセル識別子コードに決定して伝える時は上向きリンク制御チャネルのフィードバック識別子を介して周期的に伝達する。
【００３０】
もし、いずれかのセルが自分のセル識別子コードと一致しないプライマリーセル識別子コードを受信するか、このセルに受信された上向きリンク信号の品質がネットワーク側により定義される臨界値を満たさないか、または上向き圧縮モードで［ＮＩＤ／３］より小数のシンボルがパンクチャリングされた場合にこのセルはノン−プライマリーセルとなる。ところが、前記取り上げられた三つの条件のうち一つでも満たさない場合はプライマリーセルに保持される。ここで、前記ＮＩＤは生成された仮識別子の長さ（ビット数）である。
【００３１】
次に、ＳＳＤＴの終了はネットワーク側によって決められる。ネットワーク側はソフトハンドオーバーの終了手続と同一な方式でＳＳＤＴを終了し、この事実を全セルとユーザ側に知らせる。
【００３２】
このような従来のＳＳＤＴで各セルを識別するのに用いられるセル識別コードの性能は最大相互相関関数値またはハミング距離によって決められる。これにより、最大相互相関関数値が小く、かつハミング距離が最大である最適のセル識別コードが現在要求されており、これを用いてより優れた性能が得られるセル識別方案が要求されている。
【００３３】
【発明が解決しようとする課題】
本発明は上記従来技術に鑑み、成されたもので、ＳＳＤＴで各セルを識別するとき、最適性能のセル識別コードを生成して用いることによってソフトハンドオーバーモードで最適のダイバーシティ効果を奏するようにした最適のセル識別方法を提供することにその目的がある。
【００３４】
【課題を解決するための手段】
本発明によるセルモード移動通信システムにおけるセル識別子コードの割り当て方法は、アダマールコードを用いてセル識別子コードを生成する段階と、セル識別子コードを要求するセルに前記生成されたセル識別子コードを割り当てる段階と、を備えていることを特徴とし、それにより上記目的が達成される。
【００３５】
セルモード移動通信システムにおけるセル識別子コードの割り当て方法は、前記セル識別子コードはアダマールコードの第１ビットをパンクチャリングするか、削除して生成されることを特徴としてもよい。
【００３６】
セルモード移動通信システムにおけるセル識別子コードの割り当て方法は、前記セル識別子コードは前記アダマールコードの第１ビットと第２ビットをパンクチャリングするか、削除して生成されることを特徴としてもよい。
【００３７】
セルモード移動通信システムにおけるセル識別子コードの割り当て方法は、前記セル識別子コードは前記アダマールコードの第１ビットと第２ビットと第６ビットをパンクチャリングするか、削除して生成されることを特徴としてもよい。
【００３８】
セルモード移動通信システムにおけるセル識別子コードの割り当て方法は、前記生成段階は後半部の第１ビットが０の値を有するアダマールコードを選択する段階と、前記選択したアダマールコードを用いて識別子コードを生成する段階とを更に備えていることを特徴としてもよい。
【００３９】
セルモード移動通信システムにおけるセル識別子コードの割り当て方法は、前記セル識別子コードは前記アダマールコードの第１ビットをパンクチャリングするか、削除して生成されることを特徴としてもよい。
【００４０】
セルモード移動通信システムにおけるセル識別子コードの割り当て方法は、前記セル識別子コードは前記アダマールコードの第１ビットと第２ビットをパンクチャリングするか、削除して生成されることを特徴としてもよい。
【００４１】
セルモード移動通信システムにおけるセル識別子コードの割り当て方法は、前記セル識別子コードは前記アダマールコードの第１ビットと第２ビットと第６ビットをパンクチャリングするか、削除して生成されることを特徴としてもよい。
【００４２】
セルモード移動通信システムにおけるセル識別子コードの割り当て方法は、前記アダマールコードは８ビットまたは１６ビットのコード長さを有することを特徴としてもよい。
【００４３】
本発明によるセルモード移動通信システムにおけるセル識別子コードの割り当て方法は、全て０のビット値を有する第１コードと、０１のビット値を選択的に有する第２コードと、００１１のビット値を繰り返して有する第３コードと、０１１０のビット値を繰り返して有する第４コードと、００００１１１１のビット値を繰り返して有する第５コードと、０１０１１０１０のビット値を繰り返して有する第６コードと、００と１１のビット値を選択的に有する第７コードと、０１と１０のビット値を選択的に有する第８コードとを選択する段階と、前記選択されたコードを用いて識別子コードを生成する段階と、前記識別子コードを要求するセルに前記生成された識別子コードを割り当てる段階とを備えていることを特徴とし、それにより上記目的が達成される。
【００４４】
セルモード移動通信システムにおけるセル識別子コードの割り当て方法は、前記識別子コードは前記選択されたコードの第１ビットをパンクチャリングするか、削除して生成されることを特徴としてもよい。
【００４５】
セルモード移動通信システムにおけるセル識別子コードの割り当て方法は、前記セル識別子コードは前記アダマールコードの第１ビットと第２ビットをパンクチャリングするか、削除して生成されることを特徴としてもよい。
【００４６】
セルモード移動通信システムにおけるセル識別子コードの割り当て方法は、前記セル識別子コードは前記アダマールコードの第１ビットと第２ビットと第６ビットをパンクチャリングするか、削除して生成されることを特徴としてもよい。
【００４７】
セルモード移動通信システムにおけるセル識別子コードの割り当て方法は、前記選択されたコードは８ビットまたは１６ビットのコード長さを有することを特徴としてもよい。
【００４８】
本発明によるセルモード移動通信システムにおけるセル識別子コードの割り当て方法は、ＳＳＤＴの間にアダマールコードまたは倍直交コードのうち少なくとも一つのコードを用いてセル識別子コードを生成する段階と、前記ユーザの有効セルに前記生成されたセル識別子コードを選択的に割り当てる段階と、ユーザがプライマリーセルを選択するために前記有効セルから伝送された共通パイロットの受信レベルを周期的に測定する段階と、前記有効セルに前記選択されたプライマリーセルのセル識別子コードを周期的に伝送する段階と、を備えていることを特徴とし、それにより上記目的が達成される。
【００４９】
セルモード移動通信システムにおけるセル識別子コードの割り当て方法は、前記ＳＳＤＴが解除されるときユーザの有効セルに割り当てられていたセル識別子コードも同時に解除されることを特徴としてもよい。
【００５０】
セルモード移動通信システムにおけるセル識別子コードの割り当て方法は、前記セル識別子コードはアダマールコードを用いて生成されることを特徴としてもよい。
【００５１】
セルモード移動通信システムにおけるセル識別子コードの割り当て方法は、前記セル識別子コードはコード長さ８ビットまたは１６ビットのアダマールコードの第１ビットをパンクチャリングまたは削除することによって生成されるか、前記生成されたセル識別子コードの長さと種類によって８ビットまたは１６ビットのアダマールコードの第１ビットと第２ビットをパンクチャリングまたは削除することによって生成されることを特徴としてもよい。
【００５２】
セルモード移動通信システムにおけるセル識別子コードの割り当て方法は、前記生成されたセル識別子コードは一つのフレームスロットのＦＢＩフィールドに１ビットまたは２ビットずつ挿入されることを特徴としてもよい。
【００５３】
セルモード移動通信システムにおけるセル識別子コードの割り当て方法は、前記セル識別子コードは一つのフレームでセル識別子コードを伝送するアダマールコードの少なくとも一つのビットをパンクチャリングして生成されることを特徴としてもよい。
【００５４】
セルモード移動通信システムにおけるセル識別子コードの割り当て方法は、前記セル識別子コードはＦＢＩフィールドに２ビットずつ挿入されるアダマールコードの第１ビットと第２ビットをパンクチャリングして生成されることを特徴としてもよい。
【００５５】
セルモード移動通信システムにおけるセル識別子コードの割り当て方法は、前記８ビットセル識別子コードは８ビットアダマールコードの第１ビットと第２ビットをパンクチャリングして生成されたセル識別子コードのいずれか一つと共にＦＢＩフィールドに所定の回数だけ繰り返して挿入されることを特徴としてもよい。
【００５６】
セルモード移動通信システムにおけるセル識別子コードの割り当て方法は、前記１６ビットセル識別子コードは１６ビットアダマールコードの第１ビットと第２ビットをパンクチャリングして生成されたセル識別子コードのいずれか一つと共にＦＢＩフィールドに挿入されることを特徴としてもよい。
【００５７】
セルモード移動通信システムにおけるセル識別子コードの割り当て方法は、前記セル識別子コードは５ビットのコード長さを有するセル識別子コードを生成するために、アダマールコードの残り７ビットのうち２つのビットを選択的パンクチャリングし、８ビットアダマールコードの第１ビットを削除して生成されることを特徴としてもよい。
【００５８】
セルモード移動通信システムにおけるセル識別子コードの割り当て方法は、前記セル識別子コードはアダマールコードと倍直交コードを用いて生成されることを特徴としてもよい。
【００５９】
セルモード移動通信システムにおけるセル識別子コードの割り当て方法は、前記セル識別子コードは８ビットまたは１６ビットアダマールコードの少なくとも一つのビットを削除して生成されることを特徴としてもよい。
【００６０】
セルモード移動通信システムにおけるセル識別子コードの割り当て方法は、前記セル識別子コードは８ビットまたは１６ビット倍直交コードを用いて生成されることを特徴としてもよい。
【００６１】
セルモード移動通信システムにおけるセル識別子コードの割り当て方法は、前記セル識別子コードは１６ビットアダマールコードの第１ビットと第９ビットを除去して生成されることを特徴としてもよい。
【００６２】
セルモード移動通信システムにおけるセル識別子コードの割り当て方法は、前記アダマールコードを用いて生成されたセル識別子コードのうちいずれか一つと、倍直交コードを用いて生成されたセル識別子コードのいずれか一つとが一つのフレームに共に伝送されることを特徴としてもよい。
【００６３】
セルモード移動通信システムにおけるセル識別子コードの割り当て方法は、前記ユーザのアクティブセット内の有効セルの数によって倍直交コードまたはアダマールコードのうちいずれか一つを用いて生成されたセル識別子コードを選択する段階と、前記ユーザの有効セルに前記選択されたセル識別子コードを割り当てる段階と、を備えていることを特徴としてもよい。
【００６４】
セルモード移動通信システムにおけるセル識別子コードの割り当て方法は、前記アクティブセット内の有効セルの数が２つ以下である場合に倍直交コードを用いて生成されたセル識別子コードを選択することを特徴としてもよい。
【００６５】
セルモード移動通信システムにおけるセル識別子コードの割り当て方法は、前記２つのセル識別子コードは互いに直交する倍直交コードを用いて生成されることを特徴としてもよい。
【００６６】
セルモード移動通信システムにおけるセル識別子コードの割り当て方法は、前記有効セルの数が２つより多くなる場合前記有効セルにアダマールコードを用いて生成されたセル識別子コードを選択して割り当てることを特徴としてもよい。
【００６７】
セルモード移動通信システムにおけるセル識別子コードの割り当て方法は、前記有効セルの数が２つより多くなる場合に前記アダマールコードを用いて生成されたセル識別子コードを選択することを特徴としてもよい。
【００６８】
セルモード移動通信システムにおけるセル識別子コードの割り当て方法は、前記有効セルの数が３未満に減少する場合、前記有効セルに倍直交コードを用いて生成されたセル識別子コードを選択して割り当てることを特徴としてもよい。
【００６９】
本発明によるセルモード移動通信システムにおけるセル識別子コードの割り当て方法は、ユーザがＳＳＤＴの間ユーザのアクティブセット内の有効セルにアダマールコードを用いてセル識別子コードを割り当てる段階と、ユーザがプライマリーセルを選択するために前記有効セルから伝送された共同パイロットの受信レベルを周期的に測定する段階と、上向きリンク制御チャネルのＦＢＩフィールドを介して前記有効セルに前記プライマリーセルに割り当てられたセル識別子コードを周期的に伝送する段階と、を備え、それにより上記目的が達成される。
【００７０】
本発明によるセルモード移動通信システムにおけるセル識別子コードの割り当て方法は、ユーザがＳＳＤＴの間に倍直交コードとアダマールコードを用いて多数のセル識別子コードを生成する段階と、前記ユーザのアクティブセット内の有効セルに前記生成されたセル識別子コードを割り当てる段階と、ユーザがプライマリーセルを選択するために、前記有効セルから伝送された共同パイロットの受信レベルを周期的に測定する段階と、前記プライマリーセルのセル識別子コードが前記有効セルに伝送される場合に、スロット当たりＦＢＩフィールドに挿入されるビットの数がユーザによって決定される段階と、前記セル識別子コードの種類によってフレームに前記プライマリーセルのセル識別子コードが一回またはそれ以上の回数だけ繰り返して挿入される段階と、上向きリンク制御チャネルを介して前記有効セルに前記セル識別子コードを伝送する段階とからなることを特徴とし、それにより上記目的が達成される。
【００７１】
本発明によるセルモード移動通信システムにおけるセル識別子コードの割り当て方法は、アクティブセット内の有効セルの数によって、ユーザのアクティブセット内の有効セルにアダマールコードまたは倍直交コードを用いて生成された一つまたはその以上のセル識別子コードを選択的に割り当てる段階と、前記プライマリーセルのセル識別子コードが一つのフレームに一つまたはその以上の回数だけ繰り返して挿入される段階と、ＳＳＤＴの間前記有効セルに前記セル識別子コードを伝送する段階と、を備えていることを特徴とし、それにより上記目的が達成される。
【００７２】
上記目的を達成するための本発明に係る最適のセル識別方法及びセル識別子伝送方法はユーザ側（ＵＥ）がサイト選択ダイバーシティ伝送（ＳＳＤＴ）の間、アダマールコード及び倍直交コードのうち少なくとも一つを用いてセル識別子コードを生成して、前記ユーザ側の各有効セルにそれぞれ割り当てる段階と、前記ユーザ側が前記各有効セルから伝送された共通パイロットの受信レベルを周期的に測定してプライマリーセルを選択する段階と、そして、前記選択されたプライマリーセルのセル識別子コードを前記有効セルに周期的にそれぞれ伝送する段階とを備えていることを特徴とする。
【００７３】
これに対して本発明では最適性能のセル識別を満足させ、ソフトハンドオーバーモードで最適のダイバーシティ効果が発揮できるように、アダマールコード及び倍直交コードのうち少なくとも一つを用いてセル識別子コードを生成し、これを上向きリンクチャネルを介してより効果的に伝送する方法を提供する。また、本発明では活性群の大きさによる能動的な割り当てを考慮して最小ハミング距離が最大となる最適のサイト選択ダイバーシティ伝送（ＳＳＤＴ）セル識別コードを作り、これを上向きリンクチャネルを介してより効果的に伝送する方法を提供する。
【００７４】
また、本発明に係る最適のセル識別方法及びセル識別子伝送方法はユーザ側（ＵＥ）がサイト選択ダイバーシティ伝送（ＳＳＤＴ）の間にアダマールコードを用いて生成されたセル識別子コードを各有効セルに割り当てる段階と、前記ユーザ側が前記各有効セルから伝送された共通パイロットの受信レベルを周期的に測定してプライマリーセルを選択する段階と、そして、前記ユーザ側が前記選択されたプライマリーセルのセル識別子コードを上向きリンク制御チャネルのフィードバック識別子（ＦＢＩ）フィールドを介して周期的に前記有効セルへ伝達する段階を備えていることを特徴とする。
【００７５】
本発明の他の目的は、最適性能のセル識別を満足させ、ソフトハンドオーバーモードで最適のダイバーシティ効果を奏するように、アダマールコード及び倍直交コードを用いて最小ハミング距離が最大となる最適のＳＳＤＴセル識別コードを作り、これを上向きリンクチャネルを介してより効果的に伝送する方法を提供する。
【００７６】
上記目的を達成するための本発明に係る最適のセル識別方法及びセル識別子伝送方法は、ユーザ側（ＵＥ）がサイト選択ダイバーシティ伝送（ＳＳＤＴ）の間各有効セルに与える多数のセル識別子コードをアダマールコード及び倍直交コードを用いて生成して各有効セルに割り当てる段階と、前記ユーザ側が前記各有効セルから伝送された共通パイロットの受信レベルを周期的に測定してプライマリーセルを選択する段階と、前記選択されたプライマリーセルのセル識別子コードを上向きリンク制御チャネルを介して各有効セルに伝送しようとするとき、各スロットのフィードバック識別子（ＦＢＩ）フィールドに挿入されるセル識別子コードのビット数が前記ユーザ側（ＵＥ）によって決定される段階と、そして、前記生成されたセル識別子コードのうち前記ユーザ側（ＵＥ）によって選択されたプライマリーセルのセル識別子コードをこのセル識別子コードの形態によって１回またはそれ以上の回数だけ繰り返して前記各有効セルへ伝送する段階とからなることを特徴とする。
【００７７】
本発明のまた他の目的は最適性能のセル識別を満足させ、ソフトハンドオーバーモードで最適のダイバーシティ効果を奏するように、活性群の大きさによる能動的な割り当てを考慮して最小ハミング距離が最大となる最適のＳＳＤＴセル識別子コードを作り、これを上向きリンクチャネルを介してより効果的に伝送する方法を提供する。
【００７８】
上記目的を達成するための本発明に係る最適のセル識別方法及びセル識別子伝送方法は、ユーザ側（ＵＥ）が選択ダイバーシティ伝送（ＳＳＤＴ）の間にソフトハンドオーバーモードに動作する時点で、前記ユーザ側の活性群に属した有効セルの数によってアダマールコードに基づいたセル識別子コードと倍直交コードに基づいたセル識別子コードのうち選択された一つまたはその以上のコードを前記有効セルにそれぞれ選択的に割り当てる段階と、前記ユーザ側（ＵＥ）により割り当てられた該セル識別子コードを少なくとも一回またはその以上の回数だけ繰り返してサイト選択ダイバーシティ伝送（ＳＳＤＴ）の間に各有効セルへ伝送する段階とを備えていることを特徴とする。
【００７９】
【発明の実施の形態】
以下、本発明に係る最適のセル識別方法に対する好ましい実施の形態を添付の図面を参照して説明する。
【００８０】
（第１実施形態）
仮セル識別子は特定のビット長さを有する二進ビットシーケンスからなり、第１実施形態における仮セル識別子コードを次ぎの表６と表７に示した。
【００８１】
表６は一つのスロット当たりフィードバック識別子（ＦＢＩ）が１ビット伝送される場合の仮セル識別子コードであり、表７は一つのスロット当たりフィードバック識別子（ＦＢＩ）が２ビット伝送される場合の仮セル識別子コードである。
【００８２】
現在３ＧＰＰ規格によれば、フィードバック識別子（ＦＢＩ）は閉鎖ループ伝送ダイバーシティのための情報ビット伝送と相補的に使用されている。
【００８３】
次の表６と表７から分かるように、本発明の仮セル識別子コードは″ロング″、″ミディアム″、そして″ショート″の三つの形態を有し、各々の形態に対して全部８つのコードがある。
【００８４】
これらの仮セル識別子コードは一般的に一つのフレーム内で伝送されるべきであり、もし仮セル識別子コードを一つのフレームの各フィードバック識別子（ＦＢＩ）フィールドに全部挿入して伝送せず、二つのフレームの各フィードバック識別子（ＦＢＩ）フィールドに挿入して伝送する場合には、仮セル識別子コードの第１ビット、または第１ビットと第２ビットがパンクチャリングされる。
【００８５】
【表６】
0003853589.tif 000007
【００８６】
【表７】
0003853589.tif 000008
前記表６と表７に示す本発明の仮セル識別子コードの特性を見ると、一つのスロット当たりフィードバック識別子（ＦＢＩ）が１ビットの長さで各フレーム上から伝送される場合、コード長さ１５ビットの８つのロングセル識別子コードは最大の相互相関関数値が″−１″、最小ハミング距離は最大８（ｄmin＝８）となり、コードの長さが７ビットである８つのミディアムセル識別子コードは最大の相互相関関数値が″−１″、最小ハミング距離は最大４（ｄmin＝４）となる。そして、コード長さ５ビットの８つのショートセル識別子コードは最大の相互相関関数値が″１″、最小ハミング距離は最大２（ｄmin＝２）となる。
【００８７】
ここで、コード長さ１５ビットのロングセル識別子コードは、１６ビットであるアダマールコードで第１ビットをパンクチャリングしたものであり、コード長さ７ビットのミディアムセル識別子コードは８ビットのアダマールコードで第１ビットをパンクチャリングしたものである。
【００８８】
次に、一つのスロット当たりフィードバック識別子（ＦＢＩ）が２ビットの長さで各フレーム上から伝送される場合、コード長さ１４ビットの８つのロングセル識別子コードは最大の相互相関関数値が″０″、最小ハミング距離は最大７（ｄmin＝７）となり、コード長さ６ビットの８つのミディアムセル識別子コードとコード長さ６ビットの８つのショートセル識別子コードは、最大の相互相関関数値が″それぞれ″０″、最小ハミング距離はそれぞれ最大３（ｄmin＝３）となる。
【００８９】
ここで、コード長さ１４ビットのロングセル識別子コードは、表７の第１列（１６ビットアダマールコードの第１ビットと第２ビット）に当たる２ビットがパンクチャリングされ、コード長さ６ビットのミディアムセル識別子コードもまた第１列（８ビットアダマールコードの第１ビットと第２ビット）に当たる２ビットがパンクチャリングされる。
【００９０】
ユーザ側は、このユーザ側の有効セルによって伝送されるパイロットの受信レベルを周期的に測定して、この受信レベルが臨界値以上となるセルをプライマリーセルとして選択し、前記仮セル識別子コードのうち一つをプライマリーセルのセル識別子コードに決定して活性群内の有効セルに周期的に伝達するが、このプライマリーセルのセル識別子コードの伝達は上向きリンク制御チャネルのフィードバック識別子（ＦＢＩ）フィールドを介して成される。このとき、前記仮セル識別子コードは前記ＦＢＩに１ビットまたは２ビットずつ挿入され伝送される。
【００９１】
本発明の第１実施形態では前記表６と表７の仮セル識別子コードを図３ａに示すアダマールコードを用いて生成する。
【００９２】
図３ａは、８ビットのアダマールコードと１６ビットのアダマールコードを示している。第１実施形態では、セル識別子コードの形態によってそれぞれ８つのＳＳＤＴセル識別子コードが用いられるので、８ビットのアダマールコード８つ、または１６ビットのアダマールコード８つを選択的に使用する。
【００９３】
図３ａのアダマールコードを使用した仮セル識別子コードの生成方法は次の通りである。このとき、本発明ではアダマールコードの第１ビットが″０″であることを用いて、前記表６または表７により生成された仮セル識別子コードを受信した受信側でこれをデコーディングするとき、送信側でパンクチャリングされたビットが予め分かるので、デコーディング上の利点がある。
【００９４】
表６のように一つのスロット当たりフィードバック識別子（ＦＢＩ）が１ビット長さで伝送される場合の仮セル識別子コードは次のように生成される。
【００９５】
この場合、アダマールコードの第１ビットが全て″０″であることを用いてアダマールコードのそれぞれの第１ビットをパンクチャリングする。これは設定された仮セル識別子コードに対する最小ハミング距離が減少しないからである。
【００９６】
以下、仮セル識別子コードはセル識別子コードに略称する。
【００９７】
まず、コード長さ１５ビットの８つのロングセル識別子コードは、１６ビットのアダマールコードの第１ビットをパンクチャリングして生成される。
【００９８】
コード長さ７ビット８つのミディアムセル識別子コードは８ビットのアダマールコードをそのまま使用する。ところが、一つの無線フレームに挿入され伝送されるセル識別子コードの長さは１５ビットであるので、各無線フレーム当たり伝送されるミディアムセル識別子コードは、二回繰り返して送られる。
【００９９】
しかし、８ビットのアダマールコードを二回繰り返すことで得られたセル識別子コードは各無線フレーム当たり伝送可能なビットの数を１ビット超過するので、表６に示すように、繰り返される８ビットのアダマールコードのうち一つで第１ビットをパンクチャリングした後伝送する。
【０１００】
コード長さ５ビットの８つのショートセル識別子コードは、８ビットのアダマールコードで第１、第５、そして、第８ビットをパンクチャリングして生成される。この場合にも一つの無線フレーム当たり伝送可能なセル識別子コードの長さは１５ビットであるので、前記８ビットアダマールコードをパンクチャリングして生成された８つのショートセル識別子コードは三回繰り返して伝送される。
【０１０１】
しかし、本発明では別にコード長さ８ビットのアダマールコードを３ビットパンクチャリングして生成されたまた他の様々なショートセル識別子コードが用いられており、これを以下に説明する。
【０１０２】
表７に示すように、一つのスロット当たりフィードバック識別子（ＦＢＩ）が２ビットに伝送される場合の仮セル識別子コードは次のように生成される。
【０１０３】
この場合にもアダマールコードの第１ビットが全て″０″であることを用いてアダマールコードのそれぞれの第１ビットをパンクチャリングする。また、前記ＦＢＩが一つのスロット当たり２ビットの長さで伝送されるので、一つのフレーム当たり伝送可能な識別子のビットの数は３０ビットである。
【０１０４】
まず、コード長さ１４ビットの８つのロングセル識別子コードはコード長さ１６ビットのアダマールコードをそのまま使用する。ところが、この場合、一つの無線フレームに挿入され伝送されるセル識別子コードの長さは３０ビットであるので、１６ビットのアダマールコードは二回繰り返して送られる。
【０１０５】
しかし、１６ビットのアダマールコードを二回繰り返すことで得られたセル識別子コードは各無線フレーム当たり伝送可能なビットの数を２ビット超過するので、表７に示すように、繰り返される１６ビットのアダマールコードのうち一つで第１列のビット対（第１ビットと第２ビット）をパンクチャリングした後伝送する。
【０１０６】
コード長さ６ビットの８つのミディアムセル識別子コードは、コード長さ８ビットのアダマールコードをそのまま使用する。ところが、この場合、一つの無線フレームに挿入され伝送されるセル識別子コードの長さは３０ビットであるので、８ビットのアダマールコードを使用するミディアムセル識別子コードは四回繰り返して送られる。しかし、前記のように四回繰り返すことによって各無線フレーム当たり伝送可能なビットの数を２ビット超過するので、表７に示すように、繰り返される８ビットのアダマールコードのうち一つで第１列のビット対（第１ビットと第２ビット）をパンクチャリングした後伝送する。
【０１０７】
また、コード長さ６ビットの８つのショートセル識別子コードはコード長さ８ビットのアダマールコードの第１例のビット対（第１ビットと第２ビット）をパンクチャリングして生成される。
【０１０８】
前記したように、ＳＳＤＴ及びユーザ側（ＵＥ）認証の活性化の後、ユーザ側（ＵＥ）は前記仮セル識別子コードのうち一つをプライマリーセル識別子コードに決定して、上向きリンク制御チャネルのフィードバック識別子（ＦＢＩ）フィールドを介して周期的に活性群内の有効セルへ前記プライマリーセルのセル識別子コードを伝達する。
【０１０９】
また、本発明では次の表８のような他の仮セル識別子コードを提案している。
【０１１０】
表８の仮セル識別子コードは一つのスロット当たりフィードバック識別子（ＦＢＩ）が１ビット伝送される場合を示すものである。
【０１１１】
【表８】
0003853589.tif 000009
表８の仮セル識別子コードは前記表６の仮セル識別子コードと比較するとき、″ロング″、″ミディアム″、″ショート″のうち″ショート″コードが異なっている。
【０１１２】
即ち、現在３ＧＰＰ規格で一つのスロット当たりフィードバック識別子（ＦＢＩ）が１ビットの長さで伝送される場合、ショートセル識別子コードの相互相関関数値は″２″として既に最適化されているので、ショートセル識別子コードに対してのみ既存のコードをそのまま使用するのである。
【０１１３】
その他、本発明では８ビットのアダマールコードにて第１、第５、そして、第８ビットをパンクチャリングして生成された５ビットの８つのショートセル識別子コードの他にも、前記８ビットのアダマールコードを３ビットパンクチャリングして生成された別の様々なショートセル識別子コードが拡大して適用され得る。
【０１１４】
これを次の表９、表１０及び表１１に示した。
【０１１５】
【表９】
0003853589.tif 000010
【０１１６】
【表１０】
0003853589.tif 000011
【０１１７】
【表１１】
0003853589.tif 000012
表９、表１０、表１１に示すショートセル識別子コードは共通に８ビットのアダマールコードコードの第１ビットがパンクチャリングされ、その後、２ビットは２１種のパターンにパンクチャリングされ、最終的には５ビットのコード長さのショートセル識別子コードが生成される。
【０１１８】
即ち、表９に示すコード長さ５ビットの各々のショートセル識別子コードは８ビットの８つのアダマールコードで順次に（１，２，３）、（１，２，４）、（１，２，５）、（１，２，６）、（１，２，７）、（１，２，８）、（１，３，４）位置パターンのそれぞれの３ビットがパンクチャリングされ生成される。
【０１１９】
表１０に示す５ビットの各々のショートセル識別子コードは８ビットの８つのアダマールコードで順次に（１，３，５）、（１，３，６）、（１，３，７）、（１，３，８）、（１，４，５）、（１，４，６）、（１，４，７）位置のパターンのそれぞれの３ビットがパンクチャリングされ生成される。
【０１２０】
表１１に示す５ビットの各々のショートセル識別子コードは８ビットの８つのアダマールコードで順次に（１，４，８）、（１，５，６）、（１，５，７）、（１，５，８）、（１，６，７）、（１，６，８）、（１，７，８）位置のパターンのそれぞれの３ビットがパンクチャリングされ生成される。
【０１２１】
また、本発明では別の例として、前記表９の一部のショートセル識別子コードのように、コード長さ８ビットのアダマールコードの第１ビットと第２ビットがパンクチャリングされた後残り１ビットは６つのパターンにパンクチャリングされる。即ち、（１，２，３）、（１，２，４）、（１，２，５）、（１，２，６）、（１，２，７）、（１，２，８）位置のパターンのそれぞれの３ビットがパンクチャリングされ生成されたコード長さ５ビットのショートセル識別子コードを使用する。
【０１２２】
このように８ビットのアダマールコードを用いて５ビットまたは６ビットのショートセル識別子コードを生成するとき、共通に第１ビットと第２ビットとをパンクチャリングして、各スロット当たりフィードバック識別子（ＦＢＩ）フィールドに１ビットずつ挿入される場合や各スロット当たりフィードバック識別子（ＦＢＩ）フィールドに２ビットずつ挿入される場合で共通されるパンクチャリングパターンによってセル識別子コードが生成され得るので、受信側のデコーディングに使用されるハードウェアをより簡単に実現することができる。
【０１２３】
このように生成された２１種の５ビットのショートセル識別子コードは共に同一な最小ハミング距離を有するので、ＡＷＧＮチャネルに対する性能評価の結果、互いに同一の性能を有することが分かる。これは図４ａないし図４ｄから分かる。
【０１２４】
しかし、フェーディングチャネルに対する性能評価の結果ではこれらの２１種の各ショートセル識別子コードがドップラー周波数によって互いに異なる性能を有する。これは図６ａないし図６ｄから分かり、これによって本発明では前記２１種のショートセル識別子コードのうち、８ビットのアダマールコードの第１、第２及び第６ビットをパンクチャリングして生成された（１，２，６）位置のパターンのショートセル識別子コードを使用する。
【０１２５】
次の表１２はこれを適用した本発明の仮セル識別子コードを示すものである。
【０１２６】
【表１２】
0003853589.tif 000013
表１２で、５ビットの長さのショートセル識別子コードを生成するための（１，２，６）パンクチャリング位置のパターンは前記表７のように、各スロット当たりフィードバック識別子（ＦＢＩ）フィールドに２ビットずつ挿入される場合にそのまま適用させることができ、各スロット当たりフィードバック識別子（ＦＢＩ）フィールドに１ビットずつ挿入される場合と各スロット当たりフィードバック識別子（ＦＢＩ）フィールドに２ビットずつ挿入される場合にパンクチャリングパターンの共通性を有するので、コーディング上の利点がある。
【０１２７】
次は今まで説明した本発明に対する性能評価の結果について説明する。
【０１２８】
図４ａないし図４ｄは各スロット当たりフィードバック識別子（ＦＢＩ）フィールドに１ビットずつ挿入された場合のＡＷＧＮチャネルに対する性能評価の結果を示す図面であり、図５ａないし図５ｄは各スロット当たりフィードバック識別子（ＦＢＩ）フィールドに２ビットずつ挿入された場合のＡＷＧＮチャネルに対する性能評価の結果を示す図面である。
【０１２９】
また、次の表１３はセル識別子コード形態別に既存の性能利得を基準とした本発明における性能上の利得を示すものである。
【０１３０】
【表１３】
0003853589.tif 000014
図６ａないし図６ｄは各スロット当たりフィードバック識別子（ＦＢＩ）フィールドに１ビットずつ挿入された場合のフェーディングチャネルに対する性能評価の結果を示す図面であり、図７ａないし図７ｄは各スロット当たりフィードバック識別子（ＦＢＩ）フィールドに２ビットずつ挿入された場合のフェーディングチャネルに対する性能評価の結果を示す図面である。
【０１３１】
また、次の表１４はセル識別子コード形態別に既存の性能利得を基準とした本発明における性能上の利得を示すものである。
【０１３２】
【表１４】
0003853589.tif 000015
以上の第１実施の形態における仮セル識別子コードはＳＳＤＴの他にもユーザ側（ＵＥ）が自分のセル情報をネットワーク側（ＵＴＲＡＮ）へ伝達しようとするとき使用可能であり、この場合、相互相関特性及び最小ハミング距離に対して最適化させることができる。
【０１３３】
（第２実施形態）
仮セル識別子は特定のビット長さを有する二進ビットシーケンスからなり、第２実施形態におけるＳＳＤＴ仮セル識別子コードを次ぎの表１５と表１６に示した。
【０１３４】
表１５は、各スロット当たりＦＢＩが１ビットである場合のＳＳＤＴ仮セル識別子コードであり、表１６は、各スロット当たりＦＢＩが２ビットである場合のＳＳＤＴ仮セル識別子コードである。
【０１３５】
次の表１５と表１６から分かるように、本発明の仮セル識別子コードは、″ロング″、″ミディアム″、そして″ショート″の三つの形態を有し、各々の形態に対して全て８つのコードがある。これらの仮セル識別子コードは必ず一つのフレーム内で伝送されるべきであり、もし仮セル識別子コードを一つのフレームの各ＦＢＩフィールドに全部挿入して伝送せず、二つのフレームの各ＦＢＩフィールドに挿入して伝送する場合には、パンクチャリングされたセル識別子コードを使用する。
【０１３６】
【表１５】
0003853589.tif 000016
表１５で１６ビットのアダマールコードで第１ビットをパンクチャリングした１５ビットのロングセル識別子コードは最小ハミング距離（ｄmin）が最大８となり、倍直交コードに基づき、コード長さ８ビットのミディアムセル識別子コードは最小ハミング距離（ｄmin）が最大４となり、コード長さ８ビットのアダマールコードで第１ビットをパンクチャリングした７ビットのセル識別子コードは最小ハミング距離（ｄmin）が最大４となり、コード長さ８ビットのアダマールコードで第１ビット、第４ビット、第８ビットをパンクチャリングしたコード長さ５ビットのショートセル識別子コードは最小ハミング距離（ｄmin）が最大２となる。
【０１３７】
【表１６】
0003853589.tif 000017
表１６でコード長さ１６ビットの倍直交コードに基づき、コード長さ１６ビットのロングセル識別子コードは最小ハミング距離（ｄmin）が最大８となり、コード長さ１６ビットのアダマールコードで第１列の二つのビット（第１ビットと第２ビット）をパンクチャリングしたコード長さ１４ビットのロングセル識別子コードは最小ハミング距離（ｄmin）が最大７となり、倍直交コードに基づいたコード長さ８ビットのミディアムセル識別子コードは最小ハミング距離（ｄmin）が最大４となり、コード長さ８ビットのアダマールコードで第１列の二つのビット（第１ビットと第２ビット）をパンクチャリングしたコード長さ６ビットのセル識別子コードは最小ハミング距離（ｄmin）が最大３となり、アダマールコードに基づいたコード長さ６ビットのショートセル識別子コードは最小ハミング距離（ｄmin）が最大３となる。
【０１３８】
前記表１５と表１６に示す本発明の仮セル識別子コードは図３ａに示すコード長さ８ビット及び１６ビットのアダマールコードに基づいて生成され、また、図３ｂに示すコード長さ８ビット及び１６ビットの倍直交コードに基づいて生成される。
【０１３９】
前記図３ａでコード長さ８ビットのアダマールコードと１６ビットのアダマールコードは第１ビット値が共に０であるので、この第１ビットをパンクチャリングしても最小ハミング距離には影響を与えないという特性がある。
【０１４０】
特に、本発明ではセル識別子コードの形態によってそれぞれ８つのＳＳＤＴセル識別子コードが使用されるので、コード長さ８ビットのアダマールコード８つを使用し、コード長さ１６ビットのアダマールコードでは上位８つを使用する。
【０１４１】
ここで、本発明におけるコード長さ１６ビットの上位８つのアダマールコードが共に第９ビットで０のビット値を有することが特異な点である。これにより、第９ビットをパンクチャリングしても第１ビットのパンクチャリング時と同様に、最小ハミング距離には影響を与えることはない。
【０１４２】
したがって、本発明では後述する表１７のように、１６ビットのアダマールコードの第１ビットと第９ビットをパンクチャリングした１４ビットのロングセル識別子コードを相互補完的に使用する。
【０１４３】
前記図３ｂで８ビットの倍直交コードと１６ビットの倍直交コードは、同一な各コード長さを有するアダマールコードに比べて最小ハミング分布の点で更に有利である。即ち、コード長さ８ビットの倍直交コードの場合は、最小ハミング距離がコード長さと同様に８である場合が４回存在し、コード長さ１６ビットの倍直交コードの場合には、最小ハミング距離がコード長さと同様に１６である場合が４回存在する。
【０１４４】
したがって、本発明では各スロット当たりＦＢＩが１ビットである場合にコード長さ８ビットのミディアムセル識別子コード８つと、各スロット当たりＦＢＩが２ビットである場合にコード長さ８ビットのミディアムセル識別子コード８つとして、前記図３ｂにおけるコード長さ８ビットの倍直交コードを使用する。
【０１４５】
また、各スロット当たりＦＢＩが２ビットである場合にコード長さ１６ビットのロングセル識別子コード８つとして、前記図３ｂにおけるコード長さ１６ビットの３２個の倍直交コードのうち上位８つを使用する。
【０１４６】
しかし、前記場合を除いた残りのＳＳＤＴセル識別子コードとしては全て前記図３ａのアダマールコードを使用する。
【０１４７】
次いで、最小ハミング距離が最大化できるようにアダマールコード及び倍直交コードに基づいて生成されるＳＳＤＴセル識別子コードの生成過程を説明する。
【０１４８】
この生成過程において、アダマールコードに基づいたＳＳＤＴセル識別子コードの生成原理の一つとして、前述したように、コード長さ８ビットのアダマールコードやコード長さ１６ビットのアダマールコードの第１ビットが共に０のビット値を有することを用いる。
【０１４９】
結局、アダマールコードの第１ビットをパンクチャリングして生成されたＳＳＤＴセル識別子コードが伝送されても最小ハミング距離は減少せず、同様に保持される。
【０１５０】
また、この生成過程において、倍直交コードに基づいたＳＳＤＴセル識別子コードの生成原理の一つとして、コード長さ８ビットまたは１６ビットの倍直交コードは同一な各コード長さのアダマールコードに比べて最小ハミング分布の点で更に有利であることを用いる。
【０１５１】
まず、各スロット当たりＦＢＩが１ビットである場合である。
【０１５２】
コード長さ１５ビットの８つのロングセル識別子コードは、コード長さ１６ビットの８つのアダマールコードの第１ビットをパンクチャリングして形成する。これによる最小ハミング距離（ｄmin）は最大８である。
【０１５３】
次に、コード長さ８ビットの８つのミディアムセル識別子コードは、コード長さ８ビットの８つの倍直交コードをそのまま使用する。これによる最小ハミング距離（ｄmin）は最大４である。
【０１５４】
次に、コード長さ７ビットの８つのミディアムセル識別子コードは、コード長さ８ビットの８つのアダマールコードの第１ビットをパンクチャリングして形成する。これによる最小ハミング距離（ｄmin）は最大４である。
【０１５５】
次に、コード長さ５ビットの８つのショートセル識別子コードは、コード長さ８ビットの８つのアダマールコードの第１ビットをまずパンクチャリングし、残り任意の位置の二つのビットをパンクチャリングして形成する。これに対するパンクチャリングビットパターンを第１実施形態の表９、表１０、表１１に示しており、これによる最小ハミング距離（ｄmin）は全ての場合で最大２である。
【０１５６】
この場合（表９、表１０、表１１）にも２１種のパンクチャリング位置のパターンのうちコード長さ８ビットの８つのアダマールコードで第１、第２、第６ビットをパンクチャリングして生成された８つのショートセル識別子コードを使用するときに最適の性能を発揮する。
【０１５７】
また、本発明では別の例として、前記表１０の一部のショートセル識別子コードのように、共通にコード長さ８ビットのアダマールコードの第１ビットと第２ビットをパンクチャリングして生成され、その後、残りの１ビットは６種のパターンにパンクチャリングされ、それぞれ順次に（１，２，３）、（１，２，４）、（１，２，５）、（１，２，６）、（１，２，７）、（１，２，８）位置のパターンの３ビットをパンクチャリングして生成されたコード長さ５ビットのショートセル識別子コードが使用される。
【０１５８】
このようにコード長さ８ビットのアダマールコードの第１ビットと第２ビットをパンクチャリングして５ビットまたは６ビットのセル識別子コードを生成すると、各スロット当たりフィードバック識別子（ＦＢＩ）フィールドに１ビットずつ挿入される場合や、各スロット当たりフィードバック識別子（ＦＢＩ）フィールドに２ビットずつ挿入される場合で、共通されるパンクチャリングパターンによってセル識別子コードが生成され得るので、第１実施形態と同様に、受信側のデコーディングに使用されるハードウェアをより簡単に実現することができる。
【０１５９】
次は、各スロット当たりＦＢＩが２ビットである場合である。
【０１６０】
コード長さ１６ビットの８つのロングセル識別子コードは、コード長さ１６ビットの８つのアダマールコードをそのまま使用する。これによる最小ハミング距離（ｄmin）は最大８である。
【０１６１】
次に、コード長さ１４ビットの８つのロングセル識別子コードは、コード長さ１６ビットの８つのアダマールコードの第１列のビット（第１ビットと第２ビット）をパンクチャリングして形成する。これによる最小ハミング距離（ｄmin）は最大７である。
【０１６２】
次に、コード長さ８ビットの８つのミディアムセル識別子コードは、コード長さ８ビットの８つの倍直交コードをそのまま使用する。これによる最小ハミング距離（ｄmin）は最大４である。
【０１６３】
次に、コード長さ６ビットの８つのミディアムセル識別子コードは、コード長さ８ビットの８つのアダマールコードの第１列のビット（第１ビットと第２ビット）をパンクチャリングして形成する。これによる最小ハミング距離（ｄmin）は最大３である。
【０１６４】
次に、コード長さ６ビットの８つのショートセル識別子コードは、コード長さ８ビットの８つのアダマールコードの第１列のビット（第１ビットと第２ビット）をパンクチャリングして形成する。これによる最小ハミング距離（ｄmin）は最大３である。
【０１６５】
ところが、本発明では各スロット当たりＦＢＩが２ビットである場合、前記のようにコード長さ１６ビットの８つのアダマールコードの第１列のビット（第１ビットと第２ビット）をパンクチャリングして生成されたＳＳＤＴセル識別子コードに対して相互補完的に使用できる表１７のＳＳＤＴセル識別子コードを更に使用する。
【０１６６】
【表１７】
0003853589.tif 000018
表１７でコード長さ１６ビットのアダマールコードで第１ビットと第９ビットをパンクチャリングしたコード長さ１４ビットのロングセル識別子コードは最小ハミング距離（ｄmin）が最大８となるので、前記表１６でコード長さ１６ビットのアダマールコードで第１ビットと第２ビットをパンクチャリングしたコード長さ１４ビットのロングセル識別子コードが最小ハミング距離（ｄmin）最大７を有する時に比べて有利である。
【０１６７】
ユーザ側はこのユーザ側の有効セルによって伝送されるパイロットの受信レベルを周期的に測定して、この受信レベルが臨界値以上となるセルをプライマリーセルとして選択し、前記仮セル識別子コードのうち一つをプライマリーセルのセル識別子コードに決定して活性群内の有効セルに周期的に伝達するが、このプライマリーセルのセル識別子コードの伝達は上向きリンク制御チャネルのフィードバック識別子（ＦＢＩ）フィールドを介して成される。このとき、前記仮セル識別子コードは前記ＦＢＩに１ビットまたは２ビットずつ挿入され伝送され、このＦＢＩに伝送されるセル識別子コードのビットの数（１ビットまたは２ビット）は前記ユーザ側によって決定される。
【０１６８】
以下に、前記生成されたＳＳＤＴセル識別子コードの伝送過程を説明する。
【０１６９】
図８ａないし図８ｃは、本発明で各スロット当たりＦＢＩフィールドに１ビットずつ挿入される場合の、セル識別コード伝送の様々な例を説明するための図面である。
【０１７０】
図８ａはコード長さ１５ビットのロングセル識別子コードが一つのフレームへ伝送される場合であって、ユーザ側（ＵＥ）は表１５に示すコード長さ１５ビットの８つのセル識別子コードのうち選択した一つを各スロットのＦＢＩフィールドに１ビットずつ挿入して伝送する。したがって、この場合に一つのフレーム当たりプライマリーセルを選択できるサイトの選択回数は１回である。
【０１７１】
図８ｂはコード長さ８ビットのミディアムセル識別子コードと７ビットのミディアムセル識別子コードとが共に一つのフレームへ伝送される場合であって、ユーザ側（ＵＥ）は表１５に示すコード長さ８ビットの８つのセル識別子コードのうち選択した一つを最小の８つのスロットのＦＢＩフィールドに１ビットずつ挿入し、残り７つのスロットには表１５に示すコード長さ７ビットの８つのセル識別子コードのうち選択した一つを各ＦＢＩフィールドに１ビットずつ挿入して伝送する。従って、この場合には一つのフレーム当たりプライマリーセルを選択できるサイトの選択回数は２回である。
【０１７２】
図８ｃはコード長さ５ビットのショートセル識別子コードが一つのフレームに３回伝送される場合であって、ユーザ側（ＵＥ）は表１５に示すコード長さ５ビットの８つのセル識別子コードのうち選択した一つを最小の５つのスロット単位の各ＦＢＩフィールドに１ビットずつ連続に挿入して伝送する。したがって、この場合には一つのフレーム当たりプライマリーセルを選択できるサイトの選択回数は３回である。
【０１７３】
図９ａないし図９ｃは、本発明で各スロット当たりＦＢＩフィールドに２ビットずつ挿入される場合の、セル識別コード伝送の様々な例を説明するための図面である。
【０１７４】
図９ａはコード長さ１６ビットのロングセル識別子コードとコード長さ１４ビットのロングセル識別子コードとが共に一つのフレームへ伝送される場合であって、ユーザ側（ＵＥ）は表１６に示すコード長さ１６ビットの８つのセル識別子コードのうち選択した一つを最小の８つのスロットのＦＢＩフィールドに各列別に２ビットずつ挿入し、残り７つのスロットには表１６に示すコード長さ１４ビットの８つのセル識別子コードのうち選択した一つを各ＦＢＩフィールドに各列別に２ビットずつ挿入して伝送する。従って、この場合には一つのフレーム当たりプライマリーセルを選択できるサイトの選択回数は２回である。
【０１７５】
図９ｂはコード長さ８ビットのミディアムセル識別子コードとコード長さ６ビットのミディアムセル識別子コードとが共に一つのフレームへ伝送される場合であって、ユーザ側（ＵＥ）は表１６に示す８ビットの８つのセル識別子コードのうち選択した一つを最小の１２のスロットのうち４つのスロット単位の各ＦＢＩフィールドに列別に２ビットずつ３回繰り返して挿入し、残り３つのスロットには表１６に示すコード長さ６ビットの８つのセル識別子コードのうち選択した一つを各ＦＢＩフィールドに２ビットずつ挿入して伝送する。従って、この場合には一つのフレーム当たりプライマリーセルを選択できるサイトの選択回数は４回である。
【０１７６】
図９ｃは６ビットのショートセル識別子コードが一つのフレームに５回伝送される場合であって、ユーザ側（ＵＥ）は表１６に示すコード長さ６ビットの８つのセル識別子コードのうち選択した一つを最初の３つのスロット単位の各ＦＢＩフィールドに２ビットずつ連続に挿入して伝送する。したがって、この場合には一つのフレーム当たりプライマリーセルを選択できるサイトの選択回数は５回である。
【０１７７】
次は以上で説明した本発明に係る性能評価の結果である。
【０１７８】
図１０ａないし図１０ｄは、本発明で各スロット当たりＦＢＩフィールドに１ビットずつ挿入される場合のＡＷＧＮチャネルに対する性能評価の結果を示す図面であり、図１１ａないし図１１ｄは、本発明で各スロット当たりＦＢＩフィールドに２ビットずつ挿入される場合のＡＷＧＮチャネルに対する性能評価の結果を示す図面である。
【０１７９】
また、次の表１８はセル識別子コード形態別に既存の性能利得を基準とした本発明における性能上の利得を示すものである。
【０１８０】
【表１８】
0003853589.tif 000019
表１８の性能利得は、各スロット当たりＦＢＩが２ビットである場合で、コード長さ１６ビットのアダマールコードの第１列のビット（第１ビットと第２ビット）をパンクチャリングして形成されるコード長さ１４ビットのＳＳＤＴセル識別子コードが用いられる場合であり、これと相互補完的に使用できるように、表１７のようにコード長さ１６ビットのアダマールコードの第１ビットと第９ビットとをパンクチャリングしたコード長さ１４ビットのロングセル識別子コードが用いられる場合には次の表１９のような性能上の利点が得られる。
【０１８１】
【表１９】
0003853589.tif 000020
図１２ａないし図１２ｄは、本発明で各スロット当たりＦＢＩフィールドに１ビットずつ挿入される場合のフェーディングチャネルに対する性能評価の結果を示す図面であり、図１３ａないし図１３ｄは本発明で各スロット当たりＦＢＩフィールドに２ビットずつ挿入される場合のフェーディングチャネルに対する性能評価の結果を示す図面である。
【０１８２】
また、次の表２０はセル識別子コード形態別に既存の性能利得を基準とした本発明における性能上の利得を示すものである。
【０１８３】
【表２０】
0003853589.tif 000021
表２０の性能利得も各スロット当たりＦＢＩが２ビットである場合で、コード長さ１６ビットのアダマールコードの第１列のビット（第１ビットと第２ビット）をパンクチャリングして形成されるコード長さ１４ビットのＳＳＤＴセル識別子コードが用いられる場合であり、これと相互補完的に使用できるように、表１７のようにコード長さ１６ビットのアダマールコードの第１ビットと第９ビットとをパンクチャリングしたコード長さ１４ビットのロングセル識別子コードが用いられる場合には次の表２１のような性能上の利点が得られる。
【０１８４】
【表２１】
0003853589.tif 000022
以上の第２実施の形態における仮セル識別子コードはＳＳＤＴの他にもユーザ側（ＵＥ）が自分のセル情報をシステム側（ＵＴＲＡＮ）へ伝達しようとするとき使用可能であり、この場合、相互相関特性及び最小ハミング距離に対して最適化させることができる。
【０１８５】
（第３実施形態）
仮セル識別子は特定のビット長さを有する二進ビットシーケンスからなり、各スロット当たりＦＢＩが１ビットである場合に、第３実施形態におけるＳＳＤＴ仮セル識別子コードを次の表２２に示した。また、各スロット当たりＦＢＩが２ビットである場合におけるＳＳＤＴ仮セル識別子コードを次の表２３に示した。
【０１８６】
次の表２２及び表２３から分かるように、本発明の仮セル識別子コードは″ロング″、″ミディアム″、そして″ショート″の三つの形態を有し、各々の形態に対して全部８つのコードがある。これらの仮セル識別子コードは必ず一つのフレーム内で伝送されるべきであり、もし仮セル識別子コードを一つのフレームの各ＦＢＩフィールドに全部挿入して伝送せず、二つのフレームの各ＦＢＩフィールドに挿入して伝送する場合には、パンクチャリングされたセル識別子コードを使用する。
【０１８７】
【表２２】
0003853589.tif 000023
【０１８８】
【表２３】
0003853589.tif 000024
表２２及び表２３で各コード長さのセル識別子コードに対する最小のハミング距離（ｄmin）は後で説明する。
【０１８９】
前記表２２と表２３に示す本発明の仮セル識別子コードのうち識別子ラベルがそれぞれＡ  ，  Ｂ２  ，  Ｃ  ，  Ｄ  ，  Ｅ  ，  Ｆ  ，  Ｇ  ，  Ｈであるものは次の図３ａに示すそれぞれコード長さ８ビットと１６ビットのアダマールコードに基づいて生成される。
【０１９０】
前記図３ａでコード長さ８ビットのアダマールコードと１６ビットのアダマールコードは第１ビットが共に″０″のビット値を有するので、この第１ビットをパンクチャリングしても最小ハミング距離には影響を与えない特性がある。
【０１９１】
特に、本発明ではセル識別子コードの形態によってそれぞれ８つのＳＳＤＴセル識別子コードが使用されるので、コード長さ８ビットのアダマールコード８つと、コード長さ１６ビットのアダマールコード８つを使用する。
【０１９２】
一つのスロットにてＦＢＩが２ビットに伝送される場合、コード長さ１６ビットのロングセル識別子コードの第１列のビット（第１ビットと第２ビット）をパンクチャリングしてコード長さ１４ビットのロングセル識別子コードを生成する。
【０１９３】
また、前記表２２と表２３に示す本発明の仮セル識別子コードのうち識別子ラベルがそれぞれＡ、Ｂ１であるものは次に示す８ビットと１６ビットの倍直交コードの一部に基づいて選択的に生成される。
Ｂ３．０＝００００  ００００
Ｂ３．１＝１１１１  １１１１
Ｂ４．０＝００００  ００００  ００００  ００００
Ｂ４．１＝１１１１  １１１１  １１１１  １１１１
次に、本発明では前記表２２と表２３の各仮識別子を次のように生成する。
【０１９４】
まず、アダマールコードに基づいて生成される識別子ラベルＡ  ，  Ｂ２  ，Ｃ  ，  Ｄ  ，  Ｅ  ，  Ｆ  ，  Ｇ  ，  Ｈの仮セル識別子コードについて説明する。
【０１９５】
前記識別子ラベルＡ  ，  Ｂ２  ，  Ｃ  ，  Ｄ  ，  Ｅ  ，  Ｆ  ，  Ｇ  ，  Ｈの仮セル識別子コードは活性群に属したセルの数、つまり、活性群の大きさが３以上８以下である場合、ユーザ側（ＵＥ）で活性群に属している各有効セルに割り当てられる。
【０１９６】
前記表２２で各スロット当たりＦＢＩが１ビットであり、活性群の大きさが３以上８以下である場合に割り当てられる仮セル識別子コードは次のように生成される。
【０１９７】
まず、コード長さ１５ビットの８つのロングセル識別子コードはコード長さ１６ビットのアダマールコードの第１ビットをパンクチャリングして得られる。
【０１９８】
次に、コード長さ８ビットの８つのミディアムセル識別子コードはコード長さ８ビットのアダマールコードをそのまま使用し、前記コード長さ８ビットの８つのミディアムセル識別子コードと共に一つの無線フレームに挿入され、伝送されるコード長さ７ビットのセル識別子コードはコード長さ８ビットの８つのアダマールコードの第１ビットをパンクチャリングして得られる。
【０１９９】
コード長さ５ビットの８つのショートセル識別子コードはコード長さ８ビットのアダマールコードで第１ビットを優先的にパンクチャリングし、第１実施形態における表９、表１０及び表１１に示す２１種のパターンのように残りの二つのビットを更にパンクチャリングして得られる。
【０２００】
また、本発明では第１、第２実施の形態と同様に、前記２１種のパターンを全て選択的に使用する。しかし、前記表９における一部のショートセル識別子コードのように、コード長さ８ビットのアダマールコードの第１ビットと第２ビットを共通にパンクチャリングし、それから残りの１ビットが６種のパターンにパンクチャリングされる（１，２，３）、（１，２，４）、（１，２，５）、（１，２，６）、（１，２，７）、（１，２，８）位置のパターンを優先的に使用する。
【０２０１】
したがって、コード長さ８ビットのアダマールコードの第１ビットと第２ビット、そして、残りの任意の１ビットをパンクチャリングして５ビットのセル識別子コードを生成する。このように生成された２１種の５ビットのショートセル識別子コードは全て同一の最小ハミング距離を有する。
【０２０２】
しかし、これらの２１種の各ショートセル識別子コードはドップラー周波数によって互いに異なる性能を有しており、したがって、本発明発明では２１種のショートセル識別子コードのうちコード長さ８ビットのアダマールコードの第１、第２及び第６ビットをパンクチャリングして生成された（１，２，６）位置パターンのショートセル識別子コードが最優先で選択され用いられる。
【０２０３】
前記表２３で各スロット当たりＦＢＩが２ビットであり、活性群の大きさが３以上８以下である場合に割り当てられる仮セル識別子コードは次のように生成される。
【０２０４】
まず、コード長さ１６ビットの８つのロングセル識別子コードはコード長さ１６ビットのアダマールコードをそのまま使用し、前記コード長さ１６ビットの８つのロングセル識別子コードと共に一つの無線フレームに挿入され、伝送されるコード長さ１４ビットのセル識別子コードは、コード長さ１６ビットの８つのアダマールコードの第１列のビット（第１ビットと第２ビット）をパンクチャリングして得られる。
【０２０５】
次に、コード長さ８ビットの８つのミディアムセル識別子コードはコード長さ８ビットのアダマールコードをそのまま使用し、前記コード長さ８ビットの８つのミディアムセル識別子コードと共に一つの無線フレームに挿入され、伝送されるコード長さ６ビットのセル識別子コードは、コード長さ８ビットの８つのアダマールコードの第１列のビット（第１ビットと第２ビット）をパンクチャリングして得られる。
【０２０６】
次に、コード長さ６ビットの８つのショートセル識別子コードもコード長さ８ビットの８つのアダマールコードの第１列のビット（第１ビットと第２ビット）をパンクチャリングして生成される。
【０２０７】
ユーザ側（ＵＥ）は前記のように生成されたＳＳＤＴセル識別子コードのうち一つをプライマリーセルのセル識別子コードに決定した後、該プライマリーセルのセル識別子コードを活性群に属している有効セルに周期的に伝達し、このとき、上向きリンク制御チャネルのＦＢＩフィールドを介して伝達する。
【０２０８】
次は、互いに直交している倍直交コードに基づいて生成される識別子ラベルＡ，Ｂ１の仮セル識別子コードについて説明する。
【０２０９】
前記識別子ラベルＡ  ，  Ｂ１の仮セル識別子コードは活性群に属したセルの数、つまり、活性群の大きさが２以下である場合、ユーザ側（ＵＥ）によって活性群に属している前記２つ以下の各有効セルに割り当てられる。
【０２１０】
前記表２２で各スロット当たりＦＢＩが１ビットであり、活性群の大きさが２以下である場合に割り当てられる仮セル識別子コードは次のように生成される。
【０２１１】
まず、コード長さ１５ビットの２つのロングセル識別子コードはコード長さ１６ビットの倍直交コードの第１ビットをパンクチャリングして得られる。
【０２１２】
このときは、各コードの全てのビット値が０または１と同一であるので、どのビットをパンクチャリングしても良いが、第１ビットをパンクチャリングすると、前記アダマールコードをパンクチャリングした場合に用いられるパンクチャリングアルゴリズムと共通性を有するので有利である。また、識別子ラベルＢ１のセル識別子コードはＡに対して直交コードである。
【０２１３】
次に、コード長さ８ビットの２つのミディアムセル識別子コードはコード長さ８ビットの倍直交コードをそのまま使用し、前記コード長さ８ビットの２つのミディアムセル識別子コードと共に一つの無線フレームに挿入され、伝送されるコード長さ７ビットのセル識別子コードはコード長さ８ビットの２つの倍直交コードの第１ビットをパンクチャリングして生成される。このときも、各コードの全てのビット値が０または１と同一であるので、何れのビットをパンクチャリングしても良いが、第１ビットをパンクチャリングすると、前記アダマールコードをパンクチャリングした場合に用いられるパンクチャリングアルゴリズムと共通性を有するので有利である
次に、コード長さ５ビットの２つのショートセル識別子コードはコード長さ８ビットの倍直交コードで第１ビットを優先的にパンクチャリングし、それから、前記アダマールコードでの２１種のパターンのように残りの二つのビットを更にパンクチャリングして生成される。このときもまた前記アダマールコードをパンクチャリングした場合に用いられるパンクチャリングアルゴリズムと共通性を有するように、２１種のショートセル識別子コードのうちコード長さ８ビットの倍直交コードの第１、第２及び第６ビットをパンクチャリングして生成された（１，２，６）位置パターンのショートセル識別子コードが最優先で選択され用いられる。
【０２１４】
前記表２３で各スロット当たりＦＢＩが２ビットであり、活性群の大きさが２以下である場合に割り当てられる仮セル識別子コードは次のように生成される。
【０２１５】
このときもアダマールコードをパンクチャリングした場合との共通性を考慮して成される。
【０２１６】
まず、コード長さ１６ビットの２つのロングセル識別子コードはコード長さ１６ビットの倍直交コードをそのまま使用し、前記コード長さ１６ビットの２つのロングセル識別子コードと共に一つの無線フレームに挿入され、伝送されるコード長さ１４ビットのセル識別子コードは、コード長さ１６ビットの２つの倍直交コードの第１例のビット（第１ビットと第２ビット）をパンクチャリングして生成される。
【０２１７】
次に、コード長さ８ビットの２つのミディアムセル識別子コードはコード長さ８ビットのアダマールコードをそのまま使用し、前記コード長さ８ビットの２つのミディアムセル識別子コードと共に一つの無線フレームに挿入され伝送されるコード長さ６ビットのセル識別子コードはコード長さ８ビットの２つの倍直交コードの第１列のビット（第１ビットと第２ビット）をパンクチャリングして生成される。
【０２１８】
次に、コード長さ６ビットの２つのショートセル識別子コードも、コード長さ８ビットの２つのアダマールコードの第１列のビット（第１ビットと第２ビット）をパンクチャリングして生成される。
【０２１９】
ユーザ側は、このユーザ側の有効セルによって伝送されるパイロットの受信レベルを周期的に測定して、この受信レベルが臨界値以上となるセルをプライマリーセルとして選択し、前記ＳＳＤＴセル識別子コードのうち一つをプライマリーセルのセル識別子コードに決定して活性群内の二つのセルに周期的に伝達するが、このプライマリーセルのセル識別子コードの伝達は上向きリンク制御チャネルのフィードバック識別子（ＦＢＩ）フィールドを介して成される。このとき、前記仮セル識別子コードは前記ＦＢＩに１ビットまたは２ビットずつ挿入され、伝送される。
【０２２０】
以下、前記生成されたＳＳＤＴセル識別子コードの伝送動作を説明する。
【０２２１】
まず、ＳＳＤＴサービスの場合、ユーザ側（ＵＥ）がソフトハンドオーバーモードで動作する時点で、活性群のセルに基づくシステム側（ＵＴＲＡＮ）によって初期動作する。その後、現在ソフトハンドオーバー周期の間、活性化されていたＳＳＤＴオプションのシステム側（ＵＴＲＡＮ）がセルとユーザ側（ＵＥ）にこれを知らせる。
【０２２２】
これにより、ユーザ側（ＵＥ）は周辺の活性群の大きさによって前記生成されたセル識別子コードを有効セルに割り当て、ユーザ側（ＵＥ）のソフトハンドオーバーモード動作の終了時にＳＳＤＴセル識別子コードの割り当ては解除となる。
【０２２３】
セル識別子コードの割り当て技法としては、固定的割り当て技法と能動的割り当て技法とがある。
【０２２４】
例えば、固定的割り当て技法を説明すると、ユーザ側（ＵＥ）がソフトハンドオーバーモードで動作する時点で、周辺の各セルのうち活性群に属したセルに予め固定的なセル識別子コード（例えば、表２２または表２３のＡ，  Ｂ２，  Ｃ）を割り当てる。その後、活性群内のセルが変わると、ユーザ側（ＵＥ）は新たに活性群内に入ったセルに別のセル識別子コード（例えば、表２２または表２３のＤ）を割り当て、活性群から抜き出したセルに割り当てていたセル識別子コード（例えば、Ｂ２）は余裕コードとして残した後、他のセルに割り当てられるようにする。
【０２２５】
しかし、能動的割り当て技法では、ユーザ側（ＵＥ）がソフトハンドオーバーモードで動作する時点で、周辺の各セルのうち活性群に属したセルに予めセル識別子コード（例えば、表２２または表２３のＡ，  Ｂ２，  Ｃ）を割り当てる。その後、活性群内のセルが変わると、ユーザ側（ＵＥ）は活性群から抜き出したセルに割り当てていたセル識別子コードを再び新たに活性群内に入ったセルに割り当てる。
【０２２６】
本発明はかかる能動的割り当て技法は勿論、固定的割り当て技法においても最適の性能が得られ、システム運営の面では能動的割り当て技法の場合により円滑に行われる。
【０２２７】
また、本発明では活性群に属したセルの数、つまり、活性群の大きさにより、アダマールコードに基づいて生成されたセル識別子コードを割り当てるか（活性群の大きさが３以上８以下である場合）、倍直交コードに基づいた二つのセル識別子コードを割り当てる（活性群の大きさが２以下である場合）。
【０２２８】
図８ａないし図８ｃは、本発明で各スロット当たりＦＢＩフィールドに１ビットずつ挿入される場合、前記ユーザ側（ＵＥ）によって割り当てられるセル識別コードの伝送例を説明するための図面である。
【０２２９】
図８ａはコード長さ１５ビットのロングセル識別子コードが一つのフレームへ伝送される場合であって、ユーザ側（ＵＥ）は活性群の大きさによって表２２に示すアダマールコードに基づいたコード長さ１５ビットの８つのセル識別子コード（識別子ラベルＡ  ，  Ｂ２  ，  Ｃ  ，  Ｄ  ，  Ｅ  ，  Ｆ  ，  Ｇ  ，Ｈ）のうち選択した一つ、または倍直交コードに基づいたコード長さ１５ビットの２つのセル識別子コード（識別子ラベルＡ，  Ｂ１）のうち選択した一つを各スロットのＦＢＩフィールドに１ビットずつ挿入して伝送する。
【０２３０】
したがって、この場合に一つのフレーム当たりプライマリーセルを選択できるサイトの選択回数は１回である。
【０２３１】
図８ｂはコード長さ８ビットのミディアムセル識別子コードとコード長さ７ビットのミディアムセル識別子コードとが共に一つのフレームへ伝送される場合であって、ユーザ側（ＵＥ）は活性群の大きさによって表２２に示すアダマールコードに基づいたコード長さ８ビットの８つのセル識別子コード（識別子ラベルＡ，  Ｂ２  ，  Ｃ  ，  Ｄ  ，  Ｅ  ，  Ｆ  ，  Ｇ  ，  Ｈ）のうち選択した一つ、または倍直交コードに基づいたコード長さ８ビットの２つのセル識別子コード（識別子ラベルＡ，  Ｂ１）のうち選択した一つを最初の８つのスロットのＦＢＩフィールドに１ビットずつ挿入し、残り７つのスロットには表２２に示すアダマールコードに基づいたコード長さ７ビットの８つのセル識別子コード（識別子ラベルＡ  ，  Ｂ２  ，  Ｃ  ，  Ｄ  ，  Ｅ  ，  Ｆ  ，  Ｇ  ，  Ｈ）のうち選択した一つ、または倍直交コードに基づいたコード長さ７ビットの２つのセル識別子コード（識別子ラベルＡ，  Ｂ１）のうち選択した一つを各ＦＢＩフィールドに１ビットずつ挿入して伝送する。従って、この場合に一つのフレーム当たりプライマリーセルを選択できるサイトの選択回数は２回である。
【０２３２】
図８ｃはコード長さ５ビットのショートセル識別子コードが一つのフレームに３回伝送される場合であって、活性群の大きさによってユーザ側（ＵＥ）は表２２に示すアダマールコードに基づいたコード長さ５ビットの８つのセル識別子コード（識別子ラベルＡ  ，  Ｂ２  ，  Ｃ  ，  Ｄ  ，  Ｅ  ，  Ｆ  ，  Ｇ  ，  Ｈ）のうち選択した一つ、または倍直交コードに基づいたコード長さ５ビットの２つのセル識別子コード（識別子ラベルＡ，  Ｂ１）のうち選択された一つを５つのスロット単位の各ＦＢＩフィールドに１ビットずつ連続的に挿入して伝送する。
【０２３３】
したがって、この場合に一つのフレーム当たりプライマリーセルを選択できるサイトの選択回数は３回である。
【０２３４】
図９ａないし図９ｃは、本発明で各スロット当たりＦＢＩフィールドに２ビットずつ挿入される場合、セル識別コードの伝送例を説明するための図面である。
【０２３５】
図９ａはコード長さ１６ビットのロングセル識別子コードとコード長さ１４ビットのロングセル識別子コードとが共に一つのフレームへ伝送される場合であって、ユーザ側（ＵＥ）は活性群の大きさによって表２３に示すアダマールコードに基づいたコード長さ１６ビットの８つのセル識別子コードのうち選択した一つ、または倍直交コードに基づいたコード長さ１６ビットの２つのセル識別子コードのうち選択した一つを最初の８つのスロットのＦＢＩフィールドに各列別に２ビットずつ挿入し、残り７つのスロットには表２２に示すアダマールコードに基づいたコード長さ１４ビットの８つのセル識別子コードのうち選択した一つ、または倍直交コードに基づいたコード長さ１４ビットの２つのセル識別子コードのうち選択した一つを各ＦＢＩフィールドへ各列別に２ビットずつ挿入して伝送する。従って、この場合には一つのフレーム当たりプライマリーセルを選択できるサイトの選択回数は２回である。
【０２３６】
図９ｂはコード長さ８ビットのミディアムセル識別子コードとコード長さ６ビットのミディアムセル識別子コードとが共に一つのフレームへ伝送される場合であって、ユーザ側（ＵＥ）は活性群の大きさによって表２３に示すアダマールコードに基づいたコード長さ８ビットの８つのセル識別子コードのうち選択した一つ、または倍直交コードに基づいたコード長さ８ビットの２つのセル識別子コードのうち選択した一つを最初の１２のスロットのうち４つのスロット単位の各ＦＢＩフィールドに列別に２ビットずつ３回繰り返して挿入し、残り３つのスロットには表２３に示すアダマールコードに基づいたコード長さ６ビットの８つのセル識別子コードのうち選択した一つ、または倍直交コードに基づいたコード長さ６ビットの２つのセル識別子コードのうち選択した一つを各ＦＢＩフィールドに２ビットずつ挿入して伝送する。従って、この場合には一つのフレーム当たりプライマリーセルを選択できるサイトの選択回数は４回である。
【０２３７】
図９ｃはコード長さ６ビットのショートセル識別子コードが一つのフレームに５回伝送される場合であって、活性群の大きさによってユーザ側（ＵＥ）は表２３に示すアダマールコードに基づいたコード長さ６ビットの８つのセル識別子コードのうち選択した一つ、または倍直交コードに基づいたコード長さ６ビットの２つのセル識別子コードのうち選択した一つを３つのスロット単位の各ＦＢＩフィールドに２ビットずつ連続に挿入して伝送する。したがって、この場合には一つのフレーム当たりプライマリーセルを選択できるサイトの選択回数は５回である。
【０２３８】
以上のユーザ側（ＵＥ）により割り当てられるセル識別コードの伝送は、能動的割り当て技法に基づいて最大の最小ハミング距離が得られる。
【０２３９】
次は、前記能動的割り当て技法を用いて、本発明の最適ＳＳＤＴセル識別子コードの割り当ての例を説明する。
【０２４０】
第一、ユーザ側（ＵＥ）がソフトハンドオーバーモードで動作する時点で活性群内のセルの数が２つである場合、つまり、活性群の大きさが２である場合には前記表２２または表２３で識別子ラベルＡ，  Ｂ１に当たる倍直交コードに基づいたセル識別子コードが活性群内の各有効セルに割り当てられる。その後、活性群の有効セルの数が増加してその大きさが３となると、前記表２２または表２３で識別子ラベルＡ，  Ｂ２，  Ｃに当たるアダマールコードに基づいたセル識別子コードは活性群内の３つの有効セルにそれぞれ割り当てられる。
【０２４１】
第二、ユーザ側（ＵＥ）がソフトハンドオーバーモードに動作する時点で活性群の大きさが２である場合には、前記表２２または表２３で識別子ラベルＡ，  Ｂ１に当たる倍直交コードに基づいたセル識別子コードは活性群内の２つの有効セルにそれぞれ割り当てられる。その後、活性群の有効セルの数は増加せず、活性群のセルが変わると、ユーザ側（ＵＥ）は活性群から抜き出したセルに割り当てていたセル識別子コードを再び新たに活性群内に入ったセルに割り当てる。これは能動的割り当て技法に基づく方法であり、固定的割り当て技法の場合は、活性群に新たに入ったセルにアダマールコードに基づいたセル識別子コードのうち一つを選択して割り当てる。
【０２４２】
第三、ユーザ側（ＵＥ）がソフトハンドオーバーモードで動作する時点で活性群内のセルの数が２つである場合、つまり、活性群の大きさが２である場合には前記表２２または表２３で識別子ラベルＡ，  Ｂ１に当たる倍直交コードに基づいたセル識別子コードが活性群内の各有効セルに割り当てられる。その後、活性群の有効セルの数が増加してその大きさが３となると、前記表２２または表２３で識別子ラベルＡ，  Ｂ２，  Ｃに当たるアダマールコードに基づいたセル識別子コードは活性群内の３つの有効セルにそれぞれ割り当てられる。
【０２４３】
その後、再び活性群の有効セルの数が増加すると、前記表２２または表２３でアダマールコードに基づいたセル識別子コードのうち割り当てていないセル識別子コードを活性群内の新たな有効セルにそれぞれ割り当て、活性群の有効セルの数が減少して活性群の大きさが再び２となると、前記表２２または表２３で識別子ラベルＡ，Ｂ１に当たる倍直交コードに基づいたセル識別子コードを活性群内の２つの有効セルにそれぞれ割り当てる。
【０２４４】
次の表２４はＳＳＤＴセル識別コードを能動的割り当て技法によって割り当てたとき、ユーザ側（ＵＥ）の活性群の大きさによる本発明のコード形態を示すものである。
【０２４５】
【表２４】
0003853589.tif 000025
次の表２５は各スロット当たりＦＢＩが１ビットである場合に本発明で提案した活性群の大きさによるＳＳＤＴ仮セル識別子コードの最小ハミング距離を示すものであり、表２６は各スロット当たりＦＢＩが２ビットである場合に本発明で提案した活性群の大きさによるＳＳＤＴ仮セル識別子コードの最小ハミング距離を示すものである。表２５と表２６で括弧内の数字はパンクチャリングによってセル識別子コードが生成される場合の最小ハミング距離である。
【０２４６】
【表２５】
0003853589.tif 000026
【０２４７】
【表２６】
0003853589.tif 000027
【０２４８】
【発明の効果】
以上の第１実施形態におけるセル識別子コードはＳＳＤＴの他にもユーザ側（ＵＥ）が自分のセル情報をシステム側（ＵＴＲＡＮ）へ伝達しようとするときに用いられ、この場合、相互相関特性及び最小ハミング距離に対して最適化させることができる。
【０２４９】
特に、本発明におけるように、アダマールコードを使用して生成されたＳＳＤＴセル識別子コードは圧縮モードと一般モードとに共に適用され、特に、圧縮モードにてより優れた性能を発揮する。
【０２５０】
圧縮モードではデータの一部分を削除して伝送するが、このような場合は各コードの最小ハミング距離特性がデータ伝送性能に更に敏感に反映されるので、本発明は更に有用に用いられる。
【０２５１】
以上の第２実施形態におけるＳＳＤＴで各セルを識別するときに、アダマールコード及び倍直交コードに基づいたセル識別コードの組合せを生成して使用することにより、周期の早いセル識別子コードの使用を最大化させ、フェーディングチャネル及びＡＷＧＮチャネルにおけるシステム性能を極大化させ得る効果がある。
【０２５２】
また、本発明によるセル識別コードを受信してデコーディングするとき、送信側でパンクチャリングしたビットが予め受信側で分かれるので、デコーディング時の利得は極大化となる。その他にも、本発明ではアダマールコード及び倍直交コードを組合せて用いて、最大相互相関関数の絶対値が小さく、最小ハミング距離は最大となるセルの識別コードを生成して伝送することにより、ソフトハンドオーバーモードにて最適のダイバーシティ性能を発揮することができる。
【０２５３】
以上の第３実施形態におけるＳＳＤＴで各セルを識別するときに、活性群の大きさによってアダマールコードまたは倍直交コードに基づいたセル識別コードを生成して選択的に活性群の有効セルに割り当てることにより、周期の早いセル識別子コードの使用を最大化させ、フェーディングチャネル及びＡＷＧＮチャネルにおけるシステム性能を極大化させ得る効果がある。
【０２５４】
その他にも、本発明ではアダマールコードまたは倍直交コードを活性群の大きさによって選択的に割り当てることにより、最大相互相関関数の絶対値が小さく最小ハミング距離は最大となる。これにより、ソフトハンドオーバーモードにて最適のダイバーシティ性能を発揮することができる。
【図面の簡単な説明】
【図１】３ＧＰＰ規格による上向きリンク専用物理チャネル（ＤＰＣＨ）の構造を示す図。
【図２】３ＧＰＰ規格による上向きリンク専用物理チャネル（ＤＰＣＨ）でフィードバック識別子（ＦＢＩ）フィールドの詳細構造を示す図。
【図３ａ】本発明の仮セル識別子コードを生成するためのアダマールコードを示す図。
【図３ｂ】本発明の仮セル識別子コードを生成するための倍直交コードを示す図。
【図４ａ】本発明の第１実施形態で、各スロット当たりフィードバック識別子フィールドに１ビットずつ挿入される場合のＡＷＧＮチャネルに対する性能評価の結果を示す図。
【図４ｂ】本発明の第１実施形態で、各スロット当たりフィードバック識別子フィールドに１ビットずつ挿入される場合のＡＷＧＮチャネルに対する性能評価の結果を示す図。
【図４ｃ】本発明の第１実施形態で、各スロット当たりフィードバック識別子フィールドに１ビットずつ挿入される場合のＡＷＧＮチャネルに対する性能評価の結果を示す図。
【図４ｄ】本発明の第１実施形態で、各スロット当たりフィードバック識別子フィールドに１ビットずつ挿入される場合のＡＷＧＮチャネルに対する性能評価の結果を示す図。
【図５ａ】本発明の第１実施形態で、各スロット当たりフィードバック識別子フィールドに２ビットずつ挿入される場合のＡＷＧＮチャネルに対する性能評価の結果を示す図。
【図５ｂ】本発明の第１実施形態で、各スロット当たりフィードバック識別子フィールドに２ビットずつ挿入される場合のＡＷＧＮチャネルに対する性能評価の結果を示す図。
【図５ｃ】本発明の第１実施形態で、各スロット当たりフィードバック識別子フィールドに２ビットずつ挿入される場合のＡＷＧＮチャネルに対する性能評価の結果を示す図。
【図５ｄ】本発明の第１実施形態で、各スロット当たりフィードバック識別子フィールドに２ビットずつ挿入される場合のＡＷＧＮチャネルに対する性能評価の結果を示す図。
【図６ａ】本発明の第１実施形態で、各スロット当たりフィードバック識別子フィールドに１ビットずつ挿入される場合のフェーディングチャネルに対する性能評価の結果を示す図。
【図６ｂ】本発明の第１実施形態で、各スロット当たりフィードバック識別子フィールドに１ビットずつ挿入される場合のフェーディングチャネルに対する性能評価の結果を示す図。
【図６ｃ】本発明の第１実施形態で、各スロット当たりフィードバック識別子フィールドに１ビットずつ挿入される場合のフェーディングチャネルに対する性能評価の結果を示す図。
【図６ｄ】本発明の第１実施形態で、各スロット当たりフィードバック識別子フィールドに１ビットずつ挿入される場合のフェーディングチャネルに対する性能評価の結果を示す図。
【図７ａ】本発明の第１実施形態で、各スロット当たりフィードバック識別子フィールドに２ビットずつ挿入される場合のフェーディングチャネルに対する性能評価の結果を示す図。
【図７ｂ】本発明の第１実施形態で、各スロット当たりフィードバック識別子フィールドに２ビットずつ挿入される場合のフェーディングチャネルに対する性能評価の結果を示す図。
【図７ｃ】本発明の第１実施形態で、各スロット当たりフィードバック識別子フィールドに２ビットずつ挿入される場合のフェーディングチャネルに対する性能評価の結果を示す図。
【図７ｄ】本発明の第１実施形態で、各スロット当たりフィードバック識別子フィールドに２ビットずつ挿入される場合のフェーディングチャネルに対する性能評価の結果を示す図。
【図８ａ】本発明の第２、第３実施形態で、各スロット当たりフィードバック識別子フィールドに１ビットずつ挿入される場合のセル識別コード伝送の様々な例を説明するための図。
【図８ｂ】本発明の第２、第３実施形態で、各スロット当たりフィードバック識別子フィールドに１ビットずつ挿入される場合のセル識別コード伝送の様々な例を説明するための図。
【図８ｃ】本発明の第２、第３実施形態で、各スロット当たりフィードバック識別子フィールドに１ビットずつ挿入される場合のセル識別コード伝送の様々な例を説明するための図。
【図９ａ】本発明の第２、第３実施形態で、各スロット当たりフィードバック識別子フィールドに２ビットずつ挿入される場合のセル識別コード伝送の様々な例を説明するための図。
【図９ｂ】本発明の第２、第３実施形態で、各スロット当たりフィードバック識別子フィールドに２ビットずつ挿入される場合のセル識別コード伝送の様々な例を説明するための図。
【図９ｃ】本発明の第２、第３実施形態で、各スロット当たりフィードバック識別子フィールドに２ビットずつ挿入される場合のセル識別コード伝送の様々な例を説明するための図。
【図１０ａ】本発明の第２実施形態で、各スロット当たりフィードバック識別子フィールドに１ビットずつ挿入される場合のＡＷＧＮチャネルに対する性能評価の結果を示す図。
【図１０ｂ】本発明の第２実施形態で、各スロット当たりフィードバック識別子フィールドに１ビットずつ挿入される場合のＡＷＧＮチャネルに対する性能評価の結果を示す図。
【図１０ｃ】本発明の第２実施形態で、各スロット当たりフィードバック識別子フィールドに１ビットずつ挿入される場合のＡＷＧＮチャネルに対する性能評価の結果を示す図。
【図１０ｄ】本発明の第２実施形態で、各スロット当たりフィードバック識別子フィールドに１ビットずつ挿入される場合のＡＷＧＮチャネルに対する性能評価の結果を示す図。
【図１１ａ】本発明の第２実施形態で、各スロット当たりフィードバック識別子フィールドに２ビットずつ挿入される場合のＡＷＧＮチャネルに対する性能評価の結果を示す図。
【図１１ｂ】本発明の第２実施形態で、各スロット当たりフィードバック識別子フィールドに２ビットずつ挿入される場合のＡＷＧＮチャネルに対する性能評価の結果を示す図。
【図１１ｃ】本発明の第２実施形態で、各スロット当たりフィードバック識別子フィールドに２ビットずつ挿入される場合のＡＷＧＮチャネルに対する性能評価の結果を示す図。
【図１１ｄ】本発明の第２実施形態で、各スロット当たりフィードバック識別子フィールドに２ビットずつ挿入される場合のＡＷＧＮチャネルに対する性能評価の結果を示す図。
【図１２ａ】本発明の第２実施形態で、各スロット当たりフィードバック識別子フィールドに１ビットずつ挿入される場合のフェーディングチャネルに対する性能評価の結果を示す図。
【図１２ｂ】本発明の第２実施形態で、各スロット当たりフィードバック識別子フィールドに１ビットずつ挿入される場合のフェーディングチャネルに対する性能評価の結果を示す図。
【図１２ｃ】本発明の第２実施形態で、各スロット当たりフィードバック識別子フィールドに１ビットずつ挿入される場合のフェーディングチャネルに対する性能評価の結果を示す図。
【図１２ｄ】本発明の第２実施形態で、各スロット当たりフィードバック識別子フィールドに１ビットずつ挿入される場合のフェーディングチャネルに対する性能評価の結果を示す図。
【図１３ａ】本発明の第２実施形態で、各スロット当たりフィードバック識別子フィールドに２ビットずつ挿入される場合のフェーディングチャネルに対する性能評価の結果を示す図。
【図１３ｂ】本発明の第２実施形態で、各スロット当たりフィードバック識別子フィールドに２ビットずつ挿入される場合のフェーディングチャネルに対する性能評価の結果を示す図。
【図１３ｃ】本発明の第２実施形態で、各スロット当たりフィードバック識別子フィールドに２ビットずつ挿入される場合のフェーディングチャネルに対する性能評価の結果を示す図。
【図１３ｄ】本発明の第２実施形態で、各スロット当たりフィードバック識別子フィールドに２ビットずつ挿入される場合のフェーディングチャネルに対する性能評価の結果を示す図。
【図１】
0003853589.tif 000040
【図２】
0003853589.tif 000041
【図３ａ】
0003853589.tif 000042
【図３ｂ】
0003853589.tif 000043
【図４ａ】
0003853589.tif 000044
【図４ｂ】
0003853589.tif 000045
【図４ｃ】
0003853589.tif 000046
【図４ｄ】
0003853589.tif 000047
【図５ａ】
0003853589.tif 000048
【図５ｂ】
0003853589.tif 000049
【図５ｃ】
0003853589.tif 000050
【図５ｄ】
0003853589.tif 000051
【図６ａ】
0003853589.tif 000052
【図６ｂ】
0003853589.tif 000053
【図６ｃ】
0003853589.tif 000054
【図６ｄ】
0003853589.tif 000055
【図７ａ】
0003853589.tif 000056
【図７ｂ】
0003853589.tif 000057
【図７ｃ】
0003853589.tif 000058
【図７ｄ】
0003853589.tif 000059
【図８ａ】
0003853589.tif 000060
【図８ｂ】
0003853589.tif 000061
【図８ｃ】
0003853589.tif 000062
【図９ａ】
0003853589.tif 000063
【図９ｂ】
0003853589.tif 000064
【図９ｃ】
0003853589.tif 000065
【図１０ａ】
0003853589.tif 000066
【図１０ｂ】
0003853589.tif 000067
【図１０ｃ】
0003853589.tif 000068
【図１０ｄ】
0003853589.tif 000069
【図１１ａ】
0003853589.tif 000070
【図１１ｂ】
0003853589.tif 000071
【図１１ｃ】
0003853589.tif 000072
【図１１ｄ】
0003853589.tif 000073
【図１２ａ】
0003853589.tif 000074
【図１２ｂ】
0003853589.tif 000075
【図１２ｃ】
0003853589.tif 000076
【図１２ｄ】
0003853589.tif 000077
【図１３ａ】
0003853589.tif 000078
【図１３ｂ】
0003853589.tif 000079
【図１３ｃ】
0003853589.tif 000080
【図１３ｄ】
0003853589.tif 000081